(57)【要約】【課題】進入規制部材を進入許容配置から進入阻止配置に良好に移動させる。【解決手段】  遊技媒体が進入可能な開口を有する受け部と、開口を通した遊技媒体の受け部への進入を許容する許容配置と許容配置より前側に突出して開口を通した遊技媒体の受け部への進入を阻止する阻止配置とをとる進入規制部材と、進入規制部材を駆動する駆動装置と、駆動装置からの動力を前記進入規制部材に伝達する動力伝達機構とを備える遊技機において、受け部と進入規制部材とは、受け部と進入規制部材とに遊技媒体が当接する場合に、当該遊技媒体の近傍において受け部と前記進入規制部材との間に左右方向の一端側から他端側へ先細る間隙が形成される構造とする構成である。【選択図】  図２２
2014155618.tif 000002
【特許請求の範囲】
【請求項１】
遊技媒体が進入可能な開口を有する受け部と、
前記開口を通した遊技媒体の前記受け部への進入を許容する許容配置と前記許容配置より前側に突出して前記開口を通した遊技媒体の前記受け部への進入を阻止する阻止配置とをとる進入規制部材と、
前記進入規制部材を駆動する駆動装置と、
前記駆動装置からの動力を前記進入規制部材に伝達する動力伝達機構と、
を備える遊技機であって、
前記受け部と前記進入規制部材とは、前記受け部と前記進入規制部材とに単一の遊技媒体が当接する場合に、当該遊技媒体の近傍において前記受け部と前記進入規制部材との間に左右方向の一端側から他端側へ先細る間隙が形成される構造である、
ことを特徴とする遊技機。
【発明の詳細な説明】
【技術分野】
【０００１】
本発明は、弾球遊技機に代表される遊技機に関する。
【背景技術】
【０００２】
従来の典型的な遊技機において、遊技球の進入を許容する進入許容状態と遊技球の進入を阻止する進入阻止状態とをとる可変入賞装置が備えられており、当該許容状態の変化は可変入賞装置の入賞口の近傍に設けられた進入規制部材の配置変化によって実現されている。このような遊技機としては、平板状の進入規制部材を遊技盤に平行に配置させて入賞口を進入規制部材によって塞ぐ進入阻止配置と進入規制部材を進入阻止配置から水平回転軸に対して回転させてその上端を前方に突出させた進入許容配置とを取り、上方から流下してくる遊技球を進入規制部材で受け止めて入賞口に誘導する構成や、前後方向に伸びる舌片と当該舌片の前端に垂設された前板とを有する進入規制部材を遊技盤の奥方に配置させて入賞口を前板によって塞ぐ進入阻止配置と進入阻止配置から開閉部材を前方に移動させた進入許容配置とを取り、上方から流下してくる遊技球を進入規制部材で受け止めて入賞口に誘導したり引き込んだりする構成（例えば、特許文献１参照）が挙げられる。
【先行技術文献】
【特許文献】
【０００３】
【特許文献１】特開２００７−３１９３６１号公報
【発明の概要】
【発明が解決しようとする課題】
【０００４】
従来の典型的な遊技機において、進入規制部材を進入許容配置から進入阻止配置に移動させようとした場合に、進入規制部材と他の周辺の部材とによって遊技球が狭持されて進入阻止配置への移動を完了できない事態が発生する。
【０００５】
そこで、本発明の遊技機では、進入規制部材を進入許容配置から進入阻止配置に良好に移動させる。
【課題を解決するための手段】
【０００６】
本発明に係る遊技機は、上記の課題を解決するために、
遊技媒体が進入可能な開口を有する受け部と、
前記開口を通した遊技媒体の前記受け部への進入を許容する許容配置と前記許容配置より前側に突出して前記開口を通した遊技媒体の前記受け部への進入を阻止する阻止配置とをとる進入規制部材と、
前記進入規制部材を駆動する駆動装置と、
前記駆動装置からの動力を前記進入規制部材に伝達する動力伝達機構と、
を備える遊技機であって、
前記受け部と前記進入規制部材とは、前記受け部と前記進入規制部材とに単一の遊技媒体が当接する場合に、当該遊技媒体の近傍において前記受け部と前記進入規制部材との間に左右方向の一端側から他端側へ先細る間隙が形成される構造である、
ことを特徴としている。
【発明の効果】
【０００７】
本発明の遊技機であれば、進入規制部材を進入許容配置から進入阻止配置に良好に移動させることができる。
【図面の簡単な説明】
【０００８】
【図１】遊技機の一例を表す斜視図
【図２】遊技機の一例を開放状態で表す斜視図
【図３】遊技機の一例を他の開放状態で表す斜視図
【図４】遊技機の一例を更に他の開放状態で表す斜視図
【図５】遊技機の一例を表す正面図
【図６】遊技盤の一例を表す斜視図
【図７】遊技盤の一例を表す正面図
【図８】遊技機の一例を表す斜視図
【図９】遊技機の一例を表す背面図
【図１０】遊技機の電気的な構成の一例を表すブロック図
【図１１】大入賞装置の一例を表す斜視図
【図１２】大入賞装置の一例を表す正面図及び背面図
【図１３】大入賞装置の一例を表す進入阻止状態及び進入許容状態の上面図
【図１４】大入賞装置の一例を表す正面視での部分分解斜視図
【図１５】大入賞装置の一例を表す背面視での部分分解斜視図
【図１６】大入賞装置の受け部の一例を表す正面視での分解斜視図
【図１７】大入賞装置の受け部の一例を表す背面視での分解斜視図
【図１８】大入賞装置の開閉制御機構部の一例を表す正面視での分解斜視図
【図１９】大入賞装置の開閉制御機構部の一例を表す背面視での分解斜視図
【図２０】大入賞装置の一例を表す図１２におけるＡ−Ａ切断線に沿った断面図
【図２１】大入賞装置の一例を表す図１２におけるＢ−Ｂ切断線に沿った断面図
【図２２】大入賞装置の一例を表す図１２におけるＣ−Ｃ切断線に沿った断面図
【図２３】外力による大入賞装置の変化の一例を表す断面図
【図２４】大入賞装置における開閉シャッタの姿勢の一例を表す断面図
【図２５】大入賞装置における開閉シャッタの他の姿勢を表す断面図
【図２６】開閉シャッタと前面被覆板とに遊技球が当接している状態の一例を表す断面図
【図２７】開閉シャッタの中央領域において開閉シャッタと前面被覆板とに遊技球が当接している状態の一例を表す上面図
【図２８】開閉シャッタの右側領域において開閉シャッタと前面被覆板とに遊技球が当接している状態の一例を表す上面図
【図２９】開閉シャッタの左側領域において開閉シャッタと前面被覆板とに遊技球が当接している状態の一例を表す上面図
【発明を実施するための形態】
【０００９】
本発明の形態について図面を参照しながら詳細に説明する。ここでは、遊技機として弾球遊技機の一具体例を挙げて説明するが、本発明の主旨から逸脱しない限り適宜に設計が変更されてもよい。
【００１０】
本実施形態の遊技機１００について説明する。図１〜図４は遊技機１００の一例を表す斜視図であり、図１には遊技機１００の閉鎖状態が示され、図２には外枠１０１に対して前ブロック１０２及び中間ブロック１０３が一体的に開放されている状態が示され、図３には中間ブロック１０３に対して前ブロック１０２が開放されている状態が示され、図４には中間ブロック１０３に対して後ブロック１０４が開放されている状態が示されている。なお、図２〜図４において各種の配線は省略されており、また、図３において遊技盤４００の詳細な構成は省略されている。
【００１１】
遊技機１００は、図１〜図４に示されたように、外枠１０１と、前ブロック１０２と、中間ブロック１０３と、後ブロック１０４と、外枠１０１に対して中間ブロック１０３を開閉自在及び着脱自在に支持する中間ブロック支持機構と、中間ブロック１０３に対して前ブロック１０２を開閉自在及び着脱自在に支持する前ブロック支持機構と、中間ブロック１０３に対して後ブロック１０４を開閉自在及び着脱自在に支持する後ブロック支持機構とを備えている。
【００１２】
外枠１０１は、図２に示されたように、天板１１１、底板１１２、左側板１１３及び右側板１１４が組み付けられた略四辺形状の枠体であり、遊技機１００を設置する遊技ホールに設けられた遊技機設置設備（通称、「島設備」：図示せず）に嵌め込まれると共に固定具（図示せず）によって強固に固定される。外枠１０１は、更に、外枠１０１に対する中間ブロック１０３の閉鎖状態において中間ブロック１０３が載置される台座板１１５を備えている。天板１１１及び底板１１２は木材であり、左側板１１３及び右側板１１４は木材よりも剛性の高い金属材であり、台座板１１５は樹脂材である。
【００１３】
中間ブロック支持機構は、図１に示されたように、外枠１０１に設けられた上側軸受け構造体１２１及び下側軸構造体１２２と、中間ブロック１０３に設けられた上側軸構造体１２６及び下側軸受け構造体１２７とを備えており、上側軸構造体１２６及び下側軸構造体１２２が、それぞれ、上側軸受け構造体１２１及び下側軸受け構造体１２７に装着されることによって、中間ブロック１０３が外枠１０１に対して支持される。
【００１４】
前ブロック支持機構は、図１又は図３に示されたように、中間ブロック１０３に設けられた上側軸構造体１３１（図３のみ）及び下側軸構造体１３２（図１のみ）と、前ブロック１０２に設けられた上側軸受け構造体１３３（図３のみ）及び下側軸受け構造体１３４（図１のみ）とを備えており、上側軸受け構造体１３３及び下側軸受け構造体１３４が、それぞれ、上側軸構造体１３１及び下側軸構造体１３２に装着されることによって、前ブロック１０２が中間ブロック１０３に対して支持される。同様に、後ブロック支持機構は、図４に示されたように、中間ブロック１０３に設けられた上側軸受け構造体１３６及び下側軸受け構造体１３７（図８参照）と、前ブロック１０２に設けられた上側軸構造体１３８及び下側軸構造体１３９（図８参照）とを備えており、上側軸構造体１３８及び下側軸構造体１３９が、それぞれ、上側軸受け構造体１３６及び下側軸受け構造体１３７に装着されることによって、後ブロック１０４が中間ブロック１０３に対して支持される。
【００１５】
また、遊技機１００は、外枠１０１に対する中間ブロック１０３の開閉を規制する中間ブロック施錠機構と、中間ブロック１０３に対する前ブロック１０２の開閉を規制する前ブロック施錠機構と、中間ブロック施錠機構及び前ブロック施錠機構の開錠や閉錠を行うために操作される錠開閉操作機構とを備えている。図３に示されたように、中間ブロック１０３に設けられ、前ブロック１０２の開口１０２Ａを通して遊技機１００の前面側に露出している錠開閉操作機構のキーシリンダ１４１（図１も参照）に対する所定の操作キー（図示せず）による右回転操作に応じて、中間ブロック１０３に設けられた中間ブロック施錠機構の可動爪１４３が作動し、外枠１０１に設けられた中間ブロック施錠機構の固定爪１４２と中間ブロック１０３に設けられた中間ブロック施錠機構の可動爪１４３との係合が解除されて、中間ブロック１０３は外枠１０１に対して開閉許容状態となる。一方、キーシリンダ１４１に対する所定の操作キーによる左回転操作に応じて、中間ブロック１０３に設けられた前ブロック施錠機構の可動爪１４４と前ブロック１０２に設けられた前ブロック施錠機構の固定爪１４５との係合が解除されて、前ブロック１０２は中間ブロック１０３に対して開閉許容状態となる。
【００１６】
また、遊技機１００は、中間ブロック１０３に対する後ブロック１０４の開閉を規制する後ブロック開閉規制機構を備えている。後ブロック開閉規制機構は、図２及び図４に示されたように、３つの開閉規制部１５０Ａ〜１５０Ｃで構成され、それらの各々において、中間ブロック１０３に設けられ、後ブロック１０４に形成された開口１０４Ａを通して遊技機１００の背面側に突出している回動片１５１に対する回転操作に応じて、回動片１５１が開口１０４Ａを通過できない開閉禁止位置から回動片１５１が開口１０４Ａを通過できる開閉許容位置へ移動すると、中間ブロック１０３と回動片１５１とによる後ブロック１０４に形成された被挟持片１５２Ａ〜１５２Ｃの挟持が解除されて、後ブロック１０４は中間ブロック１０３に対して開閉許容状態となる。
【００１７】
また、遊技機１００は、中間ブロック１０３から前ブロック１０２への遊技球の移動を規制する遊技球移動規制機構を備えている。遊技球移動規制機構は、図３に示されたように、中間ブロック１０３に設けられ、前ブロック１０２側へ付勢された流下規制片１６１と、前ブロック１０２に設けられた規制変更突起１６２とを備えており、中間ブロック１０３から前ブロック１０２への遊技球の移動は、中間ブロック１０３に対する前ブロック１０２の閉鎖状態において流下規制片１６１が規制変更突起１６２により中間ブロック１０３側へ押圧された移動許容位置に位置することによって許容され、一方、中間ブロック１０３に対する前ブロック１０２の開放状態において流下規制片１６１が規制変更突起１６２による押圧が解除されて前ブロック１０２側へ突出する移動禁止位置に位置することによって禁止される。
【００１８】
また、遊技機１００は、前ブロック１０２における後述の中央パネル２２０と中間ブロック１０３における後述の遊技盤４００との間隔の一定性を厳密化する間隔規制機構を備えている。間隔規制機構は、図３に示されたように、中央パネル２２０に設けられ、前ブロック１０２の背面側において中間ブロック１０３と前ブロック１０２との開閉軸側に突出する突出片１７１と、中間ブロック１０３に設けられ、中間ブロック１０３の正面側においてその開閉軸側と反対側に突出する突出片１７２とを備えており、中間ブロック１０３に対する前ブロック１０２の閉鎖方向への移動に伴って突出片１７１が突出片１７２の後方側に入り込み、最終的に中間ブロック１０３に対する前ブロック１０２の閉鎖状態において突出片１７１の前面と突出片１７２の後面とが押圧状態で当接する。
【００１９】
また、遊技機１００は、図２に示されたように、外枠１０１に対して中間ブロック１０３が開放されているか閉鎖されているか否かを検出する開閉検出スイッチ１０８と、図３に示されたように、中間ブロック１０３に対して前ブロック１０２が閉鎖されているか否かを検出する開閉検出スイッチ１０９とを備えている。
【００２０】
前ブロック１０２は、図１及び図３に示されたように、開口２０１Ａ（図３のみ）を有する基枠２０１と、基枠２０１の前面側に設けられ、開口２０１Ａの一部に連通する開口２１０Ａ（図１のみ）を有する前面パネル２１０と、開口２０１Ａを塞ぐように基枠２０１の背面側に設けられた中央パネル２２０と、遊技球を貯留する主貯留機構２３０（図１のみ）と、遊技球を貯留する補助貯留機構２４０（図１のみ）と、主貯留機構２３０に貯留されている遊技球を順次に遊技盤４００（図３のみ）に発射するために遊技者によって操作される発射操作装置２５０（図１のみ）とを備えている。
【００２１】
前面パネル２１０は、図１に示されたように、開口２１０Ａの周縁の開口周縁部２１１と、開口周縁部２１１の下方において前方に突出し、主貯留機構２３０が配置される上側突出部２１７と、上側突出部２１７の下方において前方に突出し、補助貯留機構２４０が配置される下側突出部２１８と、下側突出部２１８の右方において概ね平坦であり、発射操作装置２５０が配置される平坦部２１９とを含んでいる。
【００２２】
中央パネル２２０は、図１又は図３に示されたように、基枠２０１の後方側から取着されるパネル枠２２１（図３のみ）と、パネル枠２２１に嵌め込まれた光透過性の前方板２２２（図１のみ）と、パネル枠２２１に前方板２２２と所定の間隙を隔てて略平行に嵌め込まれた光透過性の後方板２２３（図３のみ）とを備えている。なお、上述の間隔規制機構の突出片１７１は、パネル枠２２１と一体形成されている。
【００２３】
主貯留機構２３０は、図１に示されたように、遊技球の流入口２３１Ａ、流出口（図示せず）及び流出口より上流側に形成される放出口（図示せず）を有する貯留桶２３１と、放出口の開閉により貯留桶２３１から放出される遊技球の放出先を流出口と放出口との間で切り換える球抜き機構と、その球抜き機構を作動させる球抜き操作部材２３２とを備えている。遊技進行に応じて獲得した遊技球や後述する貸出操作装置２９２に対する貸出操作に応じて貸し出された遊技球は主に流入口２３１Ａを通して貯留桶２３１に流入し、貯留桶２３１に流入した遊技球は一列に整列させられながら流出口及び放出口の形成されている方向（図５中の右方）へ順次に案内される。球抜き操作部材２３２に対する球抜き操作（押下操作）が行われていない場合には遊技球は流出口を通して中間ブロック１０３における後述する発射装置３３０（図３参照）に誘導される。一方、球抜き操作部材２３２に対する球抜き操作が行われている場合には、遊技球は放出口を通して補助貯留機構２４０（図１参照）に誘導される。
【００２４】
補助貯留機構２４０は、図１又は図５に示されたように、遊技球の流入口２４１Ａ（図５のみ）及び放出口２４１Ｂを有する貯留桶２４１と、放出口２４１Ｂを開閉させる球抜き機構２４３と、その球抜き機構を作動させる球抜き操作部材２４２とを備えている。遊技進行に応じて獲得した遊技球等は主に主貯留機構２３０に流入するが貯留桶２３１が満杯であれば流入口２４１Ａを通して貯留桶２４１に流入し、また、球抜き操作部材２３２に対する球抜き操作に応じて貯留桶２３１から誘導された遊技球は流入口２４１Ｃを通して貯留桶２４１に流入する。貯留桶２４１の底面は放出口２４１Ｂに向けてすり鉢上に傾斜しており、球抜き操作部材２４２に対する球抜き操作（右スライド操作）に応じた放出口２４１Ｂの開放によって、貯留桶２４１に貯留されている全ての遊技球を順次に遊技機１００の外部に放出できる。なお、球抜き操作部材２４２に対する球抜き操作によって放出口２４１Ｂが完全に開放された場合には、球抜き操作部材２４２に対する復帰操作（押圧操作又は微少な左スライド操作）がなされるまで、その状態に維持される。流入口２４１Ａの奥方には貯留桶２４１に過剰に遊技球が貯留されているか否かを検出する球溢れ検出スイッチ２４９（図１０参照）が設けられている。
【００２５】
発射操作装置２５０は、図１及び図５に示されたように、前面パネル２１０の平坦部２１９から前方に突出する台座２５１と、台座２５１の周囲に設けられた回動自在な発射ハンドル２５２と、発射ハンドル２５２の回転操作量を検出する可変抵抗器２５３（図１０参照）と、発射ハンドル２５２に遊技者が接触していることを検出する接触センサ２５４（図１０参照）と、遊技者によって操作され、発射ハンドル２５２の回転操作に伴う遊技球の射出を無効化する発射停止スイッチ２５５（図５のみ）とを含んでいる。遊技者による発射ハンドル２５２の回転操作に応じて、その回転操作量に対応する強度で発射装置３３０（図３参照）から遊技球が射出される。なお、接触センサ２５４によって発射ハンドル２５２と遊技者との接触が検出されていない場合や、発射停止スイッチ２５５の操作によって発射操作が無効化されている場合には、発射ハンドル２５２が回転操作されていても発射装置３３０から遊技球は射出されない。
【００２６】
前ブロック１０２は、基枠２０１に設けられ、前面パネル２１０の開口周縁部２１１の奥方に配置された発光装置群を備えており、枠発光装置群は、図５に示されたように、開口周縁部２１１における上方中央部２１１Ａ、上方中央部２１１Ａの左方の上方左角部２１１Ｂ、上方中央部２１１Ａの右方の上方右角部２１１Ｃ、上方左角部２１１Ｂの下方の左中間部２１１Ｄ及び上方左角部２１１Ｂの下方の右中間部２１１Ｅのそれぞれに対応して配置された上中央枠発光装置２７１、左上枠発光装置２７２、右上枠発光装置２７３、左中間枠発光装置２７４及び右中間枠発光装置２７５（図１０参照）で構成されている。
【００２７】
また、前ブロック１０２は、基枠２０１に設けられ、前面パネル２１０の開口周縁部２１１の奥方に配置された音響装置２８０を備えており、音響装置２８０は、開口周縁部２１１に形成された左上音響出力口２１１Ｆ及び右上音響出力口２１１Ｇのそれぞれの奥方に配置された左上音響出力部２８１及び右上音響出力部２８２を備えている。
【００２８】
また、前ブロック１０２は、図１に示されたように、上側突出部２１７に設けられた遊技球貸出装置２９０を備えており、遊技球貸出装置２９０は、遊技機１００の側方に配置され遊技機１００の構成要素でないカードユニット（図示せず）に投入された紙幣やカード等の残額に応じた数値を表示する度数表示装置（図示せず）と、遊技球の貸し出しを受ける際に遊技者によって操作される貸出操作装置２９２と、カードユニットに投入された紙幣やカード等を返却させる際に遊技者によって操作される返却操作装置２９３とを含んでいる。カードユニットに紙幣やカード等の投入によってそれらの金額に対応する数値が度数表示装置に表示されている有効状態において貸出操作装置２９２に対して貸出操作が行われると、貸出操作に応じて所定の個数の遊技球が後ブロック１０４の払出装置５４０から貸し出され、遊技球の貸し出しに伴って度数表示装置の表示が更新される。一方、有効状態において返却操作装置２９３に対して返却操作が行われると、返却操作に応じて残額に対応する紙幣の等価物や残額を記録したカードがカードユニットから返却される。
【００２９】
中間ブロック１０３は、図３又は図４に示されたように、開口（図示せず）を有する基枠３０１と、基枠３０１の前面側に取着されて開口を覆う遊技盤４００（図３のみ）と、基枠３０１に対して遊技盤４００を回動自在及び着脱自在に支持する遊技盤支持機構と、基枠３０１に対して遊技盤４００の位置を固定する遊技盤固定機構と、遊技盤４００に遊技球を射出する発射装置３３０（図３のみ）と、遊技盤４００の背面側に設けられた取り付け台３６０（図４のみ）と、取り付け台３６０に装着された遊技進行を統括的に制御する主制御装置３７０（図４のみ）と、主制御装置３７０からの命令に基づいて遊技演出や状態報知を制御する副制御装置３９０（図４のみ）とを備えている。
【００３０】
基枠３０１には、払出装置５４０（図８参照）から放出された遊技球を前ブロック１０２に誘導する誘導通路３０１Ａや前ブロック１０２の基枠２０１に設けられた枠発光装置２７１〜２７５や音響装置２８０と主制御装置３７０や副制御装置３９０とを電気的に接続するための配線（図示せず）や信号中継装置（図示せず）が挿通される遊技盤４００の切り欠きに基づく開孔３０１Ｂが形成されている。
【００３１】
遊技盤４００は、図６及び図７に示されたように、排出口４０１Ａ等の各種の貫通孔を有する平板状の基体４０１と、基体４０１の左下から右上に亘り滑らかに湾曲し、後述する発射装置３３０から発射された遊技球を誘導する外レール４０２と、基体４０１の右下から左上に亘り滑らかに湾曲する内レール４０３と、内レール４０３の左上側の先端に取着され、外レール４０２及び内レール４０３が平行に対向する部分で形成される発射通路４０１Ｂから放出された遊技球が発射通路４０１Ｂに戻ることを防止する戻り球防止機構４０４と、外レール４０２の右上側の先端に取着され、遊技盤４００の中央を越えて左側に移動するような遊技球の大幅な反跳を防止する反跳防止部材４０５と、発射通路４０１Ｂを構成する部分の外レール４０２の外縁を保護する保護部材４０６とを備えている。図３に示されたように、発射装置３３０から発射通路４０１Ｂへ遊技球を誘導する誘導部材３３５と外レール４０２との間には間隙があり、発射装置３３０から発射されたが戻り球防止機構４０４を超えるに至らず発射通路４０１Ｂを逆戻りする遊技球は、基枠２０１に形成され、この間隙の下方に配置される戻り球通路２０１Ｂを介して流入口２４１Ｃ（図５参照）から補助貯留機構２４０（図５参照）に返却される。なお、概ね外レール４０２及び内レール４０３とで区画され、戻り球防止機構４０４を超えた遊技球が移動可能な略円形状の遊技領域に設けられる構造物については後述する。
【００３２】
遊技盤支持機構は、図３に示されたように、保護部材４０６に設けられた支軸部３１１（図７も参照）と、基枠３０１に形成され、遊技盤４００の基体４０１の一部が載置される載置部３１２及び支軸部３１１と係合する軸受け部３１３とで構成され、遊技盤４００を回転自在かつ着脱自在に支持している。遊技盤４００が回動自在に支持されている場合において、所定の角度以上だけ回転させた後に、基体４０１における載置部３１２と当接する部位を支点として遊技盤４００を回転軸から傾けると、支軸部３１１と軸受け部３１３との係合が外れる。これによって、遊技盤４００を基枠３０１から離脱させることができる。逆に、遊技盤４００を基枠３０１に装着する場合には、遊技盤４００の所定の部位を載置部３１２に載置した後に、支軸部３１１を軸受け部３１３に係合させる。
【００３３】
遊技盤固定機構は、基枠３０１に設けられた３つの固定具３２０（図３において２つの固定具のみが図示されている）で構成され、それらの各々は、基枠３０１から前方に突出する回動自在な回転軸体（図示せず）と、回転軸体の先端に固着され、遊技盤４００の基体４０１に形成された切り欠き部４０１Ｃ（図６及び図７参照）を通して通過できない挿抜禁止姿勢と切り欠き部４０１Ｃを通して通過できる挿抜許容姿勢とをとる回動片３２２と、回動片３２２より後方に配置された押圧板（図示せず）と、回動片３２２が挿抜禁止姿勢である場合に押圧板を回動片３２２側に付勢する付勢体（図示せず）とを備えている。遊技盤４００が基枠３０１に固定されている着脱禁止状態において、回動片３２２は、切り欠き部４０１Ｃを通して基体４０１の前方に突出すると共に挿抜禁止姿勢となっており、基体４０１は、回動片３２２と押圧板とによって押圧状態で挟持されている。これによって、基枠３０１に対する遊技盤４００の前後方向の位置決めが正確に行えるために、誘導部材３３５から発射通路４０１Ｂへの遊技球の移動が阻害されることを防止できる。回動片３２２対する回転操作に応じて、回動片３２２が挿抜禁止姿勢から回動片３２２が切り欠き部４０１Ｃを通過できる挿抜許容姿勢へ回転すると、付勢体からの押圧板の付勢が解除され、また、回動片３２２と押圧板とによる基体４０１の挟持が解除される。全ての固定具３２０の回動片３２２が挿抜許容姿勢である場合には、基枠３０１に対して遊技盤４００が回動自在になる。逆に、遊技盤４００を基枠３０１に固定する場合には、全ての固定具３２０の回動片３２２が挿抜許容姿勢である状態で、遊技盤４００を回転させて各回動片を切り欠き部４０１Ｃに挿通させた後に、全ての固定具３２０の回動片３２２を挿抜禁止姿勢に回転させる。
【００３４】
発射装置３３０は、図３に示されたように、主貯留機構２３０に貯留されている遊技球を順次に発射位置に送り出す球送り機構３３１と、球送り機構３３１を駆動する球送りソレノイド３３２（図１０参照）と、発射位置に配置された遊技球を射出する発射機構３３３と、発射機構３３３を駆動する発射ソレノイド３３４（図１０参照）と、発射機構３３３から発射された遊技球を遊技盤４００の発射通路４０１Ｂに誘導する誘導部材３３５とを備えている。発射装置３３０は、上述のように発射操作装置２５０に対する発射操作に応じて作動する。
【００３５】
取り付け台３６０は、支持機構を介して、基枠３０１に対して回動自在に支持されている。
【００３６】
主制御装置３７０は、図４に示されたように、主制御基板９２０（図１０参照）と、主制御基板９２０を収容する２つ割り構造の基板ケース３７１とを備えている。主制御基板９２０は、開封の痕跡を残さずには開封できないように基板ケース３７１に封止されている。
【００３７】
副制御装置３９０は、副制御基板９４０（図１０参照）と、副制御基板９４０を収容する２つ割り構造の基板ケース３９１とを備えており、副制御基板９４０は、基板ケース３９１に封止されている。
【００３８】
ここで、遊技盤４００において、基体４０１に設けられ、遊技領域に配置される各種の構造物について詳細に説明する。図６は、遊技盤の一例を表す斜視図であり、図７は、遊技盤の一例を表す正面図である。遊技盤４００は、図６及び図７に示されたように、遊技球の流下方向や流下速度に変化を与える釘４１１や風車４１２等の流下変化部材と、基体４０１の概ね中央に配置され、進入口（図示せず）から流入した遊技球を第１始動入賞装置４３１の近傍に誘導するセンタフレーム４２０と、センタフレーム４２０の中央の真下に配置された第１始動入賞装置４３１と、第１始動入賞装置４３１に進入した遊技球を検出する第１始動入賞スイッチ４４１（図１０参照）と、第１始動入賞装置４３１の真下に配置された第２始動入賞装置４３２と、第２始動入賞装置４３２に進入した遊技球を検出する第２始動入賞スイッチ４４２（図１０参照）と、第１始動入賞装置４３１及び第２始動入賞装置４３２の右方に配置された大入賞装置４３３と、大入賞装置４３３に進入した遊技球を検出する大入賞スイッチ４４３（図１０及び図１５〜図１７参照）と、始動装置４３６と、始動装置４３６に進入した遊技球を検出する始動スイッチ４４６（図１０参照）と、第２始動入賞装置４３２より左側に配置された３つの一般入賞装置４３８と、第２始動入賞装置４３２より右側に配置された１つの一般入賞装置４３９と、３つの一般入賞装置４３８のいずれかに進入した遊技球を検出する一般入賞スイッチ４４８（図１０参照）と、一般入賞装置４３９に進入した遊技球を検出する一般入賞スイッチ４４９（図１０参照）とを備えている。センタフレーム４２０、始動装置４３６に進入した遊技球は遊技領域に放出されるが、第１始動入賞装置４３１、第２始動入賞装置４３２、大入賞装置４３３及び一般入賞装置４３８，４３９に進入した遊技球は基体４０１に形成された貫通孔を通して基体４０１の背面側に形成された回収排出通路（図示せず）に案内される。また、第１始動入賞装置４３１、第２始動入賞装置４３２、大入賞装置４３３及び一般入賞装置４３８，４３９に進入しなかった遊技球は排出口４０１Ａを通して回収排出路（図示せず）へ案内される。回収排出通路に案内された遊技球は、遊技機１００から遊技機設置設備（図示せず）に設けられた遊技球循環装置に排出される。第１始動入賞装置４３１、第２始動入賞装置４３２、大入賞装置４３３及び一般入賞装置４３８，４３９のいずれかに遊技球が進入した場合には、装置の種類に応じた所定の個数の遊技球が払出装置５４０から払い出されることとなる。
【００３９】
第１始動入賞装置４３１及び一般入賞装置４３８，４３９の各々は、それらへの遊技球の進入確率を変化させず、進入した遊技球を基体４０１の背面側へ誘導する構造である。一方、第２始動入賞装置４３２は、進入許容姿勢と進入阻止姿勢との間の移行によって進入確率を変化させる可動羽根４５２と、可動羽根４５２を駆動する羽根開閉ソレノイド４６２（図１０参照）とを備えている。可動羽根４５２が進入許容姿勢である場合には遊技球は第２始動入賞装置４３２に進入できるが、可動羽根４５２が進入阻止姿勢である場合には遊技球は第２始動入賞装置４３２に進入できない。可動羽根４５２は、始動装置４３６への遊技球の進入、正確には始動スイッチ４４６による遊技球の検出に伴う主制御基板９２０による当り抽選に当選した場合に、羽根開閉ソレノイド４６２の作動に応じて所定の回数及び所定の時間だけ進入許容姿勢に移行する。また、大入賞装置４３３は、進入許容姿勢と進入阻止姿勢との間の移行によって進入確率を変化させる開閉シャッタ３１と、開閉シャッタ３１を駆動するシャッタ開閉ソレノイド４６３（図１０参照）とを備えている。開閉シャッタ３１が進入許容配置である場合には遊技球は大入賞装置４３３に進入できるが、開閉シャッタ３１が進入阻止姿勢である場合には遊技球は大入賞装置４３３に進入できない。開閉シャッタ３１は、第１始動入賞装置４３１及び第２始動入賞装置４３２のいずれかへの遊技球の進入、正確には第１始動入賞スイッチ４４１及び第２始動入賞スイッチ４４２のいずれかによる遊技球の検出に伴う主制御基板９２０による大当り抽選に当選した場合に、シャッタ開閉ソレノイド４６３の作動に応じて所定の回数だけ進入許容配置に移動する。なお、開閉シャッタ３１は、右側から左側に向けて下降するように傾斜して配置されており（図１２（Ａ）参照）、流下してきた遊技球を開閉シャッタ３１上に留めることなく、左方向に誘導できる。
【００４０】
また、遊技盤４００は、図７に示されたように、第１特別図柄に係る大当り抽選に伴って、第１特別図柄を変動表示したり、第１特別図柄を抽選結果に応じた停止図柄で確定表示したりする第１特別図柄表示装置４７１と、第２特別図柄に係る大当り抽選に伴って、第２特別図柄を変動表示したり、第２特別図柄を抽選結果に応じた停止図柄で確定表示したりする第２特別図柄表示装置４７２と、センタフレーム４２０に設けられ、第１特別図柄に係る大当り抽選の権利の保留状態を表示する第１特別図柄保留表示装置４７６と、センタフレーム４２０に設けられ、第２特別図柄に係る大当り抽選の権利の保留状態を表示する第２特別図柄保留表示装置４７７とを備えている。第１特別図柄及び第２特別図柄に係る大当り抽選の権利は最大４つずつ保留される。なお、第１特別図柄に係る大当り抽選の権利が最大まで保留されている場合に、第１始動入賞装置４３１に遊技球が進入したとしてもその遊技球に対して権利は追加されない。同様に、第２特別図柄に係る大当り抽選の権利が最大まで保留されている場合に、第２始動入賞装置４３２に遊技球が進入したとしてもその遊技球に対して権利は追加されない。
【００４１】
第１特別図柄表示装置４７１は、複数色で発光可能な２つの発光部４７１Ａ，４７１Ｂで構成されており、主制御基板９２０（図１０参照）により表示が制御される。第１特別図柄は、発光部４７１Ａ，４７１Ｂの発光パターン（発光色の組合せ）によって表現される。第２特別図柄表示装置４７２は、第１特別図柄表示装置４７１と同様に、複数色で発光可能な２つの発光部４７１Ａ，４７１Ｂで構成されており、主制御基板９２０（図１０参照）により表示が制御される。第２特別図柄は、発光部４７２Ａ，４７２Ｂの発光パターン（発光色の組合せ）によって表現される。第１特別図柄保留表示装置４７６及び第２特別図柄保留表示装置４７７は、それぞれ、２つの単色ＬＥＤ４７６Ａ，４７６Ｂ及び２つの単色ＬＥＤ４７７Ａ，４７７Ｂの発光状態（消灯、点灯、点滅）の組合せによって各種の抽選の権利の保留個数を表示する。
【００４２】
また、遊技盤４００は、センタフレーム４２０に設けられ、普通図柄に係る当り抽選に伴って、普通図柄を変動表示したり、普通図柄を抽選結果に応じた停止図柄で確定表示したりする普通図柄表示装置４７３と、センタフレーム４２０に設けられ、普通図柄に係る当り抽選の権利の保留状態を表示する普通図柄保留表示装置４７８とを備えている。普通図柄に係る当り抽選の権利は最大４つまで保留される。なお、普通図柄に係る当り抽選の権利が最大まで保留されている場合に、始動装置４３６に遊技球が進入したとしてもその遊技球の進入に対して権利は追加されない。
【００４３】
普通図柄表示装置４７３は、複数色で発光可能な２つの発光部４７３Ａ，４７３Ｂで構成されており、主制御基板９２０（図１０参照）により表示が制御される。普通図柄は、発光部４７３Ａ，４７３Ｂの発光パターン（発光色の組合せ）によって表現される。また、普通図柄保留表示装置４７８は、２つの単色ＬＥＤ４７８Ａ，４７８Ｂの発光状態（消灯、点灯、点滅）の組合せによって抽選の権利の保留個数を表示する。
【００４４】
また、遊技盤４００は、センタフレーム４２０に設けられ、第１特別図柄及び第２特別図柄のいずれかに係る大当り抽選に伴って、装飾図柄を変動表示したり、装飾図柄を確定表示したりする装飾図柄表示装置４７９を備えている。副制御基板９４０による制御に基づく装飾図柄の変動表示及び確定表示は、主制御基板９２０による第１特別図柄や第２特別図柄の変動表示及び確定表示と実質的に同期している。装飾図柄の変動表示においては、第１特別図柄や第２特別図柄の変動表示より複雑な演出が実行される。
【００４５】
ここで、遊技盤４００の各種の装置の動作について説明する。なお、それらの説明に先立って、各種の遊技状態及び遊技状態間の移行について説明する。通常時の遊技状態（通常遊技状態）は、第１特別図柄及び第２特別図柄に係る大当り当選確率が低確率であり、第１特別図柄や第２特別図柄の変動表示時間が長い遊技状態（以下において、「低確率非時短状態」とも称す）である。遊技状態は、大当りの当選に基づいて変化する。第１特別図柄に係る大当りの種類は、標準確変大当り、突然確変大当り、潜伏確変大当り、標準時短大当り及び突然時短大当りの５種類であり、第２特別図柄に係る大当りの種類は、標準確変大当り、標準時短大当りの２種類である。標準確変大当りや突然確変大当りに当選した場合には、遊技状態は、一旦、大入賞装置４３３が間欠的に進入許容状態となる（開閉シャッタ３１が間欠的に進入許容配置となる）特別遊技状態に移行し、特別遊技状態の終了後に、第１特別図柄及び第２特別図柄に係る大当り当選確率が通常遊技状態よりも高確率であり、第１特別図柄や第２特別図柄の変動表示時間が通常遊技状態よりも短い遊技状態（以下において、「高確率時短状態」と称す）に移行する。高確率時短状態は、次回の大当りの当選まで維持される。また、潜伏確変大当りに当選した場合には、一旦、特別遊技状態に移行した後に、第１特別図柄及び第２特別図柄に係る大当り当選確率が通常遊技状態よりも高確率であり、第１特別図柄や第２特別図柄の変動表示時間が通常遊技状態と同一である遊技状態（以下において、「高確率非時短状態」と称す）に移行する。高確率非時短状態は、次回の大当りの当選まで維持される。また、標準時短大当りに当選した場合には、特別遊技状態に移行した後に、第１特別図柄及び第２特別図柄に係る大当り当選確率が通常遊技状態と同一の低確率であり、第１特別図柄や第２特別図柄の変動表示の時間が通常遊技状態と同一である遊技状態（以下において、「低確率時短状態」と称す）に移行する。低確率時短状態は、第１特別図柄及び第２特別図柄のいずれかに係る所定の回数（例えば、１００回）の単位表示制御の終了まで維持されるが、その後、遊技状態は通常遊技状態に戻る。なお、高確率時短状態及び高確率非時短状態において大当りした場合には、低確率時短状態及び低確率非時短状態において大当りした場合に比べて、いずれかの確変大当り（標準確変大当り、突然確変大当り、潜伏確変大当り）への振分確率が大きい。以下において、遊技盤４００の各種の装置の動作について概ね時系列に沿って説明する。
【００４６】
主制御基板９２０において、特別図柄（第１特別図柄及び第２特別図柄で共通）に係る当選乱数、特別図柄（第１特別図柄及び第２特別図柄で共通）に係る図柄乱数、停止パターン乱数、各種の変動パターン乱数が生成されており、各種の遊技状態において、第１始動入賞装置４３１に遊技球が進入すると、特別図柄に係る当選乱数、特別図柄に係る図柄乱数及び停止パターン乱数が取得されて、主制御基板９２０のＲＡＭの所定の領域に格納される。このとき、大入賞装置４３３が作動中でない場合において、第１特別図柄及び第２特別図柄の双方が変動表示中や確定表示中でなければ格納の直後に、また、第１特別図柄及び第２特別図柄のいずれかが変動表示中や確定表示中であれば先行して獲得している第１特別図柄に係る全ての大当り抽選の権利及び先行して獲得している及び後続して獲得する第２特別図柄に係る全ての大当り抽選の権利の消化後に、その取得された特別図柄に係る当選乱数に基づいて大当りに当選したか否かが判定される。なお、第１特別図柄に係る大当りの当選確率は、上述のように、現在の遊技状態によって、詳細には、高確率状態（高確率時短状態、高確率非時短状態）であるか低確率状態（低確率時短状態、低確率非時短状態）であるかによって変化し、具体的には、高確率状態における大当りの当選確率は低確率状態における大当りの当選確率よりも高い。大当りに当選した場合には、更に、取得された特別図柄に係る図柄乱数に基づいて第１特別図柄の停止図柄が決定される。この停止図柄の種類によって、標準確変大当り、突然確変大当り、潜伏確変大当り、標準時短大当り及び突然時短大当りのいずれの大当りであるかが決定される。なお、各種の大当りの振分確率は、現在の遊技状態によって、詳細には、高確率状態であるか低確率状態であるかによって変化し、具体的には、いずれかの確変大当り（標準確変大当り、突然確変大当り、潜伏確変大当り）への振分確率が高確率状態において低確率状態よりも高い。一方、大当りに落選したときであって、小当りに当選した場合には、停止図柄として小当り図柄が設定され、小当りにも当選しなかった場合には、停止図柄としてハズレ図柄が設定される。
【００４７】
第１特別図柄に係る大当り抽選の後に、現在の遊技状態、大当り抽選の抽選結果、停止パターン乱数、各種の変動パターン乱数、第１特別図柄及び第２特別図柄に係る大当り抽選の権利の総保留数に基づいて、第１特別図柄の変動表示時間が決定されると共に、装飾図柄の変動パターンが選択される。その後、第１特別図柄表示装置４７１における第１特別図柄の変動表示及び装飾図柄表示装置４７９における装飾図柄の変動表示（変動演出）が開始され、第１特別図柄にあっては変動表示時間に亘って一定のパターンによる変動表示が継続され、装飾図柄にあっては変動表示時間に亘って変動パターンに従った変動表示が実行される。変動表示時間の経過に伴って、第１特別図柄として停止図柄が確定表示され、また、装飾図柄として第１特別図柄の停止図柄に対応する図柄が確定表示される。第１特別図柄及び装飾図柄の確定表示は一定時間に亘って継続される。
【００４８】
第１特別図柄の停止図柄が大当り図柄である場合には、第１特別図柄の確定表示後に、遊技状態は特別遊技状態に移行する。特別遊技状態においては、大入賞装置４３３の開閉シャッタ３１が所定の回数だけ間欠的に進入許容配置へ移動する。開閉シャッタ３１が進入許容配置へ移行した後に、所定の個数（例えば、１０球）の遊技球が大入賞装置４３３に進入した場合及び所定の最大開放時間が経過した場合のいずれかによって、開閉シャッタ３１は進入阻止配置へ移動する。その後、所定の閉鎖時間の経過後に、再度、開閉シャッタ３１は進入許容配置へ移行する。この開閉動作が所定の回数だけ繰り返される。開閉シャッタ３１の開閉動作の繰り返し回数や進入許容配置に滞在する最大開放時間等は、大当りの種類（停止図柄の種類）によって変化する。具体的には、標準確変大当り及び標準時短大当りに基づく特別遊技状態において、最大開放時間が２９．５秒であって閉鎖時間が２．０秒である開閉動作が１６回だけ繰り返される。なお、特別遊技状態の開始から１０．０秒の待機時間（オープニング時間）後に、開閉シャッタ３１の第１回目の進入許容配置への移行が開始され、第１６回目の進入阻止配置への移行から１５．０秒の待機時間（エンディング時間）後に、特別遊技状態が終了する。一方、突然確変大当り、潜伏確変大当り及び突然時短大当りに基づく特別遊技状態において、最大開放時間が０．８秒であって閉鎖時間が２．０秒である開閉動作が２回だけ繰り返される。なお、特別遊技状態の開始から３．２秒の待機時間（オープニング時間）後に、開閉シャッタ３１の第１回目の進入許容配置への移動が開始され、第２回目の進入阻止姿勢への移動から３．２秒の待機時間（エンディング時間）後に、特別遊技状態が終了する。特別遊技状態の終了後には、上述のように、今回の大当りの種類に応じた遊技状態に移行する。
【００４９】
また、第１特別図柄の停止図柄が小当り図柄又はハズレ図柄である場合には、遊技状態は、第１特別図柄の確定表示後においても変更されない。但し、小当りに当選している場合には、突然確変大当り、潜伏確変大当り及び突然時短大当りに基づく特別遊技状態の場合と同一の態様で大入賞装置４３３が作動する。
【００５０】
上記においては、第１特別図柄に係る大当り抽選の権利が消化される場合について説明したが、第２特別図柄に係る大当り抽選の権利が消化される場合についても、大当りの種類が上述のように第１特別図柄と第２特別図柄とで異なること及び第２特別図柄に係る大当りの抽選の権利が第１特別図柄に係る大当りの抽選の権利よりも優先して消化されること以外は、第１特別図柄の場合と概ね同一であるために、第１特別図柄及び第２特別図柄をそれぞれ第２特別図柄及び第１特別図柄と入れ替えて読み替えることとして重複する説明を省略する。
【００５１】
各種の遊技状態において、始動装置４３６に遊技球が進入すると、普通図柄に係る当選乱数が取得されて、主制御基板９２０のＲＡＭ（図示せず）の所定の領域に格納される。このとき、第２始動入賞装置４３２が作動中でない場合において、普通図柄が変動表示中や確定表示中でなければ直後に、また、普通図柄が変動表示中や確定表示中であれば先行して獲得している全ての当り抽選の権利の消化後に、その取得された普通図柄に係る当選乱数に基づいて当りに当選したか否かが判定される。当りの当選確率は、判定時の遊技状態によって、具体的には、時短状態（高確率時短状態、低確率時短状態）であるか非時短状態（低確率非時短状態、高確率非時短状態、特別遊技状態）であるかによって変化し、時短状態における当りの当選確率は非時短状態よりも高確率となっている。当りに当選した場合には、停止図柄として所定の当り図柄が設定され、当りに当選しなかった場合には、停止図柄として所定のハズレ図柄が設定される。当り抽選後に、普通図柄の変動表示が開始され、非時短状態にあっては所定の変動表示時間（例えば、３．０秒）に亘って一定のパターンによる変動表示が継続され、時短状態にあっては非時短状態よりも短い所定の変動表示時間（例えば、０．５秒）に亘って通常遊技状態と同一のパターンによる変動表示が継続される。遊技状態に応じた所定の時間の経過に伴って普通図柄として停止図柄が一定時間に亘って確定表示される。
【００５２】
普通図柄の停止図柄が当り図柄である場合には、普通図柄の確定表示後に、第２始動入賞装置４３２の可動羽根４５２が少なくとも１回は進入許容姿勢へ移行する。具体的には、非時短状態における当選の場合には、可動羽根４５２が典型的には所定の回数（例えば、１回）だけ所定の最大開放時間（例えば、０．２秒）に亘って進入許容姿勢へ移行し、時短状態における当選の場合には、可動羽根４５２が典型的には非時短状態よりも多い所定の回数（例えば、３回）だけ非時短状態より長い所定の最大開放時間（例えば、１．９秒）に亘って進入許容姿勢へ移行する。但し、所定の個数（例えば、１０球）の遊技球が第２始動入賞装置４３２に進入した場合には、可動羽根４５２は強制的に進入阻止状態へ移行し、今回の当りの当選に基づく可動羽根４５２の作動が終了する。
【００５３】
遊技盤４００は、各種の構造物の裏側に設けられた盤面発光装置４９０（図１０参照）を備えており、盤面発光装置４９０は、副制御基板９４０による制御に基づいて遊技進行に伴う各種の発光演出や発光による状態報知を実行する。
【００５４】
後ブロック１０４について説明する。図８及び図９は、それぞれ、遊技機の一例を表す斜視図及び背面図である。後ブロック１０４は、図８及び図９に示されたように、基体５０１と、中間ブロック１０３に対して基体５０１を開閉自在に支持する支持機構と、基体５０１に取着され、遊技機固定設備（図示せず）から供給される遊技球を貯留する遊技球タンク５１０と、遊技球タンク５１０の下流側において基体５０１に取着され、積層貯留されている遊技球を２条に整流させると共に１段に整列させるタンクレール５２０と、タンクレール５２０の下流側において基体５０１に取着され、タンクレール５２０から流入した遊技球を誘導するケースレール５３０と、ケースレール５３０の下流側において基体５０１に取着され、遊技球の払い出しや遊技球の貸し出しを実行する払出装置５４０と、払出装置５４０の下流側において基体５０１に取着され、払出装置５４０から流出した遊技球を基体５０１に形成された誘導通路（図示せず）に誘導する誘導部材５５０と、払出装置５４０による遊技球の払い出しや遊技球の貸し出しを制御する払出制御装置５６０と、外部電力を各種の装置等で必要とする所定の電圧の電力に変換して出力すると共に、発射操作装置２５０に対する発射操作に基づく遊技球の射出を主制御基板９２０と協同して制御する電源・発射制御装置９００と、払出制御装置５６０及び遊技球貸出装置２９０（図１参照）と遊技機１００の側方に配置されるカードユニット（図示せず）との間の信号を中継する中継装置９５０とを備えている。
【００５５】
基体５０１は、樹脂（例えば、ＡＢＳ樹脂）により一体成型されており、略平坦状のベース部５０２と、ベース部５０２よりも後方に突出した保護カバー部５０３とを含んでいる。保護カバー部５０３は左右側方及び上方が閉鎖されかつ下方の一部のみが開放されている。保護カバー部５０３の背面には、主制御装置３７０及び副制御装置３９０における発熱の放熱性を向上させる多数の通気孔５０２Ａが形成されている。
【００５６】
遊技球タンク５１０は、上方に開口した横長の箱型容器であり、その長手方向の一端から遊技機固定設備の球循環装置（図示せず）から供給される遊技球が逐次補給される。遊技球タンク５１０における遊技球の供給される側と異なる長手方向の一端の底面には開口（図示せず）が形成されている。遊技球タンク５１０の底面は長手方向に緩やかに傾斜し、遊技球タンク５１０に供給された遊技球は開口側に自重によって移動する。また、長手方向と直交する方向（前後方向）に対して更に穏やかに傾斜し、前方側（基体５０１への取り付け面側）に優位に遊技球を誘導する。また、遊技球タンク５１０には、球循環装置から遊技球の供給される一端から中央近傍にかけて少なくとも一部の底部を覆う帯電防止板５１１（図８のみ）が取着されており、帯電防止板５１１は接地電位に接続されている。
【００５７】
タンクレール５２０は、遊技球タンク５１０の下方に取り付けられ、タンクレール５２０には遊技球タンク５１０の開口を通して遊技球が流入する。タンクレール５２０は、仕切り片（図示せず）によって仕切られた２列（２条）の樋状通路（図示せず）を形成する桶状部材５２１と、桶状部材５２１に対して回動自在に軸支され桶状部材５２１を流下する遊技球の球詰まりを防止させながら２条に整流させると共に１段に整列させる一対の整流部材５２２とを備えている。各樋状通路は、下流側に向けて緩やかに傾斜しており、遊技球タンク５１０から流入した側と長手方向の反対側へ遊技球を誘導する。整流部材５２２は遊技球との接触によって振り子のように動作する。
【００５８】
ケースレール５３０は、保護カバー部５０３の一側面部に沿うように縦向きに配置されており、タンクレール５２０からの遊技球が流入する。ケースレール５３０には、遊技球が勢いよく流れないように波状のうねりをもって前後左右に湾曲する２条の球通路（図示せず）が形成されている。また、球通路の上流側には、球切れ検出スイッチ５３９が取着されている。球切れ検出スイッチ５３９は、ケースレール５３０の内部に遊技球が十分にないこと、つまりケースレール５３０よりも上流側で球詰りが発生してケースレール５３０に遊技球が補給されていない場合等を検出する。
【００５９】
払出装置５４０は、遊技球を送り出す送出機構５４１と、送出機構５４１を駆動する払出モータ５４２とを備えている。払出制御装置５６０による制御に基づく払出モータ５４２の作動に応じて、２条の球通路に貯留されている遊技球を交互に放出する。
【００６０】
払出制御装置５６０は、払出制御基板９３０と、払出制御基板９３０を収容する基板ケースとを備えており、払出制御基板９３０は、主制御基板９２０と同様に、開封の痕跡を残さずに開封できないように基板ケースによって実質的に封止されている。
【００６１】
次に、遊技機１００の電気的構成について説明する。図１０は、遊技機の電気的構成の一例を表すブロック図である。遊技機１００は、図１０に示されたように、電源・発射制御装置９００、電源監視基板９１０、主制御基板９２０、払出制御基板９３０、副制御基板９４０等の制御装置を備えている。なお、図１０において、各種の信号を中継するだけの回路装置については省略している。以下に、これらの主要な装置を個別に詳細に説明する。
【００６２】
電源・発射制御装置９００は、遊技機１００の各部に電源供給路（図中の破線）を介して所定の電圧の電力を供給する電源部９０１と、発射操作装置２５０の操作に応じて発射装置３３０の駆動を制御する発射制御部９０２と、初期化スイッチ９０７からの初期化信号や球溢れスイッチ２４９からの球溢れ信号を中継する信号中継部９０３とを備えている。
【００６３】
電源部９０１は、外部より供給される外部電力（例えば、交流２４ボルト）を取り込んで内部電力（例えば、直流２４ボルト）に変換すると共に、その内部電力から各種のソレノイドや各種のモータ等の機器を駆動するための駆動用電圧（例えば、直流１２ボルト）の電力、各種のスイッチを駆動したり制御処理を実行したりするための制御用電圧（例えば、直流５ボルト）の電力、主制御基板９２０のＲＡＭ及び払出制御基板９３０のＲＡＭの内容を保持させるためのバックアップ用電圧の電力等を生成して、電源監視基板９１０、主制御基板９２０、払出制御基板９３０、副制御基板９４０等に供給する。具体的には、電源監視基板９１０に対して内部電力、駆動用電圧、制御用電圧及びバックアップ電圧の電力が供給され、主制御基板９２０に対して駆動用電圧、制御用電圧及びバックアップ電圧の電力が電源監視基板９１０の電源監視部９１１を介して供給され、払出制御基板９３０に対して駆動用電圧、制御用電圧及びバックアップ電圧の電力が直接的に供給され、副制御基板９４０に対して駆動用電圧及び制御用電圧の電力が直接的に供給され、発射制御部９０２に対して駆動用電圧及び制御用電圧の電力が供給される。電源部９０１には、電源スイッチ９０９が接続されており、電源スイッチ９０９がオフ状態である場合には外部電力の取り込みが停止される。なお、電源スイッチ９０９をオフ状態にしたり、電源スイッチ９０９を介して電源部９０１に接続される電源プラグ（図示せず）を外部電力の供給コンセント（図示せず）から抜脱したりすることによって遊技機１００の内部への電力の供給が停止している状態や、外部電力自体の供給が停止している状態を「停電状態」と総称する。電源部９０１は、停電状態への移行後においても所定の期間にわたり制御用電圧の電力を正常に出力するように構成されている。これによって、主制御基板９２０及び払出制御基板９３０は、現在の制御状態に復帰できるように状態を保存して制御を終了させることができる。
【００６４】
発射制御部９０２は、主制御基板９２０と協同して、発射装置３３０（図３参照）の球送りソレノイド３３２及び発射ソレノイド３３４の駆動を制御する。なお、球送りソレノイド３３２及び発射ソレノイド３３４は、所定条件が整っている場合に作動が許可される。具体的には、遊技者が発射ハンドル２５２（図１参照）に触れていることが接触センサ２５４からの接触センサ信号に基づいて検知されていること、発射を停止させるための発射停止スイッチ２５５が操作されていないことを条件に、発射制御部９０２はオン状態の発射許可信号を主制御基板９２０に出力する。また、発射許可信号と発射異常信号とに基づいて主制御基板９２０は発射ソレノイド制御信号及び球送りソレノイド制御信号を発射制御部９０２に出力する。発射制御部９０２は、オン状態の球送り制御信号に基づいて球送りソレノイド３３２を作動させ、オン状態の発射ソレノイド制御信号の受信と可変抵抗器２５３の抵抗値とに基づいて発射ソレノイド３３４を作動させる。これによって、発射装置２５０から可変抵抗器２５３の抵抗値（発射ハンドル２５２の回転操作量）に応じた強さで遊技球が順次に発射される。
【００６５】
信号中継部９０３は、初期化スイッチ９０７が押下された場合に、主制御基板９２０へオン状態の初期化信号を出力する。なお、主制御基板９２０においては、オン状態の初期化信号の受信に応じて主制御基板９２０のＲＡＭに保存された保存情報が初期化されることとなる。また、信号中継部９０３は、球溢れスイッチ２４９が遊技球を検出した場合に、主制御基板９２０へオン状態の球溢れ信号を出力する。なお、主制御基板９２０においては、オン状態の球溢れ信号の検知に基づいて払出制御基板９３０に低速払出信号を出力することとなり、低速払出信号を受信した払出制御基板９３０は、払出モータ５４２の回転速度（払出装置５４０からの遊技球の払出速度）を低速化させることとなる。逆に、オフ状態の球溢れ信号の検知に基づいて払出制御基板９３０に高速払出信号を出力することとなり、低速払出信号を受信した払出制御基板９３０は、払出モータ５４２の回転速度を高速化させることとなる。
【００６６】
電源監視基板９１０は、電源・発射制御装置９００からの電力供給状態を監視し、停電状態への移行に応じて、主制御基板９２０及び払出制御基板９３０へ停電信号を出力する電源監視部９１１と、電源・発射制御装置９００と主制御基板９２０との間の電力供給及び各種の信号の伝達を中継する信号中継部９１２とを含んでいる。電源監視部９１１は、電源部９０１から出力される最大電圧である直流安定２４ボルトの電圧を監視し、この電圧が２２ボルト未満になった場合に停電状態への移行と判断して、オン状態の停電信号を主制御基板９２０及び払出制御基板９３０へ出力する。主制御基板９２０及び払出制御基板９３０は、オン状態の停電信号の受信によって停電状態への移行を認識することとなる。
【００６７】
主制御基板９２０は、遊技機１００の動作を統括的に制御する。主制御基板９２０には、１チップマイコンとしてのＭＰＵ（図示せず）が搭載されている。ＭＰＵは、演算処理装置としてのＣＰＵ（図示せず）と、ＣＰＵにより実行される各種の制御プログラムや固定データを記憶したＲＯＭ（図示せず）と、制御プログラムの実行に際して一時的に各種のデータ等を記憶するＲＡＭ（図示せず）とを含んでいる。主制御基板９２０には、その他、タイマ回路（図示せず）、カウンタ回路（図示せず）、クロック発生回路（図示せず）、信号送受信回路（図示せず）等の各種回路が搭載されている。主制御基板９２０のＲＡＭは、停電状態への移行後においても電源・発射制御装置９００からのバックアップ電圧の電力供給によって内部データを維持（バックアップ）できる構成となっている。
【００６８】
払出制御基板９３０は、主制御基板９２０からの指示に応じた払出装置５４０による遊技球の払い出し動作や遊技球貸出装置２９０の操作に応じた払出装置５４０による遊技球の貸し出し動作を制御する。払出制御基板９３０は、主制御基板９２０と同様に、ＣＰＵ（図示せず）、ＲＯＭ（図示せず）及びＲＡＭ（図示せず）を含む１チップマイコンとしてのＭＰＵ（図示せず）、タイマ回路（図示せず）、カウンタ回路（図示せず）、クロック発生回路（図示せず）、信号送受信回路（図示せず）等の各種回路が搭載されている。払出制御基板９３０のＲＡＭも、主制御基板９２０のＲＡＭと同様に、停電状態においても内部データを維持できる構成となっている。
【００６９】
副制御基板９４０は、主制御基板９２０からの指示に基づいて、各種の演出装置や各種の発光装置や各種の音響装置等の動作を制御する。
【００７０】
〔本発明に関連する主たる構成〕
本発明に係る遊技機１００の主たる特徴部分である大入賞装置４３３の構成について説明する。図１１は大入賞装置４３３の斜視図であり、図１２（Ａ）は大入賞装置４３３の正面図であり、図１２（Ｂ）は大入賞装置４３３の背面図であり、図１３は大入賞装置４３３の上面図であって図１３（Ａ）及び図１３（Ｂ）がそれぞれ大入賞装置４３３の進入阻止状態及び進入許容状態を表し、図１４は正面視での大入賞装置４３３の部分分解斜視図であり、図１５は背面視での大入賞装置４３３の部分分解斜視図である。
【００７１】
大入賞装置４３３は、図１１〜図１５に示されたように、遊技球の進入可能な開口１０Ａを有する受け部１０と、ＬＥＤ素子が配設された基板２１，２２を保持する保持部材２３を有しており発光演出を行う演出部２０と、開口１０Ａを通した受け部１０への遊技球の進入を阻止したり、その進入を許容したりする開閉制御機構部３０と、開口１０Ａを通して受け部１０に進入した遊技球を検出する大入賞スイッチ４４３（図１５のみ）とを備えている。演出部２０及び開閉制御機構部３０はネジ止めによって、また、大入賞スイッチ４４３は挿入嵌合によって、受け部１０に取り付けられている。
【００７２】
ここで、受け部１０の詳細な構造について説明する。図１６は正面視での受け部１０の分解斜視図であり、図１７は背面視での受け部１０の分解斜視図である。
【００７３】
受け部１０は、図１４〜図１７に示されたように、遊技盤４００の基体４０１（図６及び図７参照）に前面側からネジ止め等によって取り付けられる基体１１と、基体１１の前面側に配置されて基体４０１より前面側に突出し、受け部１０に進入した遊技球を大入賞スイッチ４４３へ誘導するための通路を形成する誘導通路部材１２と、誘導通路部材１２の前面側を覆うように配置される前面被覆板１３とを備えている。
【００７４】
誘導通路部材１２及び前面被覆板１３は、基体１１にネジ止めによって取り付けられており、当該取り付けによって基体４０１より前面側に上方の開放された開口１０Ａ（図１４及び図１５にのみ図示）が形成され、上方から流下してくる遊技球を受け入れることが可能となる。また、基体１１には貫通孔１１Ａが形成されており、貫通孔１１Ａを通して開閉シャッタ３１（図１１参照）を前面被覆板１３側に突出させることによって、上方から流下してくる遊技球の受け入れを阻止することが可能となる。
【００７５】
誘導通路部材１２には、急傾斜壁１２Ａと緩傾斜壁１２Ｂとが形成されており、大入賞スイッチ４４３が配置される排出通路１２Ｃに遊技媒体を良好に誘導できる。
【００７６】
前面被覆板１３は、開閉シャッタ３１の前方であって開閉シャッタ３１よりも上方にまで延出しており（図１１（Ａ）及び図１２（Ａ）も参照）、当該延出している部分において開閉シャッタ３１側に突出する突出部１３Ａ（図１６には図示せず）が形成されている。突出部１３Ａは、所定の角度（開閉シャッタ３１の傾斜角度と同一角度：図１２（Ａ）参照）で傾斜しており、突出部１３Ａの左右方向の長さは開閉シャッタ３１の左右方向の幅と概ね同一であり、突出部１３Ａの突出量は突出部１３Ａの左右方向の長さ範囲に亘って一定である。
【００７７】
次に、開閉制御機構部３０について説明する。図１８は正面視での開閉制御機構部３０の分解斜視図であり、図１９は背面視での開閉制御機構部３０の分解斜視図である。
【００７８】
開閉制御機構部３０は、開口１０Ａを通した受け部１０への遊技球の進入を規制する開閉シャッタ３１と、励磁コイル３２、励磁コイル３２の内側に摺動可能に挿入されるプランジャ３３及びプランジャ３３の先端を励磁コイル３２から遠ざけるように付勢する付勢部材３４で構成されており開閉シャッタ３１を駆動するために用いられるプル型のソレノイド（図１０におけるシャッタ開閉ソレノイド４６３）と、プランジャ３３に連結された第１動力伝達部材３５及び収容部材３７に枢支されて第１動力伝達部材３５の移動に応じて回動して開閉シャッタ３１を押圧する第２動力伝達部材３６で構成されておりソレノイドからの動力を開閉シャッタ３１に伝達する動力伝達機構と、受け部１０の基体１１にネジ止めによって取付けられ、動力伝達機構を収容すると共に動力伝達機構及び開閉シャッタ３１の移動方向を規制する収容部材３７と、収容部材３７の前面側から動力伝達機構を覆うように取り付けられる蓋部材３８と、収容部材３７の背面側に取り付けられてソレノイドを収容する収容部材３９とを備えている。
【００７９】
第１動力伝達部材３５は、プランジャ３３の先端に連結される板状部３５Ａと、板状部３５Ａの後方端に設けられてソレノイドの付勢部材３４に当接する上下一対の当接部３５Ｂと、板状部３５Ａの前方端に垂設された円柱形状の押圧部３５Ｃと、板状部３５Ａの前方端から前方に延出する円柱形状の突出部３５Ｄと、板状部３５Ａから上方及び下方に演出する一対の突出部３５Ｅとを有している。第１動力伝達部材３５をプランジャの移動方向と同一方向へ直線的に移動させるために、突出部３５Ｄの先端は、蓋部材３８に形成された誘導穴３８Ａに遊挿され、一対の突出部３５Ｅは、収容部材３７に形成された上下一対の誘導溝３７Ｂ（下側のみ図示）に遊挿されており、プランジャ３３の前後方向への直線運動に伴って、第１動力伝達部材３５は前後方向（プランジャ３３の移動方向と同一方向）へ直線運動する。
【００８０】
第２動力伝達部材３６は、左右一対の切り欠き３７Ｃの形成された収容部材３７に蓋部材３８が取り付けられることによって形成される軸受けにおいて枢支される支軸３６Ａと、押圧部３５Ｃを下側から囲むように支軸３６Ａに設けられた概ねＵ字形状の被押圧部３６Ｂと、開閉シャッタ３１に形成された矩形の貫通孔３１Ａに遊挿される円柱形状の押圧部３６Ｃと、支軸３６Ａと押圧部３６Ｃとを接続する左右一対の接続部３６Ｄとを有している。第１動力伝達部材３５の直線運動に伴う押圧部３５Ｃと被押圧部３６Ｂとの当接に基づいて、第２動力伝達部材３６は支軸３６Ａを中心として回転運動し、第２動力伝達部材３６の回転運動に伴う押圧部３６Ｃと開閉シャッタ３１との貫通孔３１Ａにおける当接に基づいて、開閉シャッタ３１は、収容部材３７に形成された誘導溝３７Ａに沿うように前後方向（プランジャ３３の移動方向と同一方向）に直線運動する。
【００８１】
ここで、大入賞装置４３３の動作について詳細に説明する。図２０は図１２のＡ−Ａ切断線に沿った大入賞装置４３３の断面図であって図２０（Ａ）及び図２０（Ａ）がそれぞれ大入賞装置４３３の進入阻止状態及び進入許容状態を表し、図２１は図１２のＢ−Ｂ切断線に沿った大入賞装置４３３の断面図であって図２１（Ａ）及び図２１（Ａ）がそれぞれ大入賞装置４３３の進入阻止状態及び進入許容状態を表し、図２２は図１２のＣ−Ｃ切断線に沿った大入賞装置４３３の断面図であって図２２（Ａ）及び図２２（Ａ）がそれぞれ大入賞装置４３３の進入阻止状態及び進入許容状態を表している。
【００８２】
大入賞装置４３３が遊技球の進入を阻止している進入阻止状態である場合において励磁コイル３２は非励磁状態であり、図２０（Ａ）、図２１（Ａ）及び図２２（Ａ）に示されたように、付勢部材３４からの付勢力に基づく当接部３５Ｂへの押力によって第１動力伝達部材３５は前進配置をとり、第１動力伝達部材３５の前進配置に対応してプランジャ３３も前進配置をとり、第２動力伝達部材３６は押圧部３６Ｃが支軸３６Ａよりも前方に位置する前傾姿勢をとり、開閉シャッタ３１はその先端が貫通孔１１Ａよりも前方に突出して開口１０Ａを通した受け部１０への遊技球の進入を阻止している進入阻止配置をとっている。一方、大入賞装置４３３が進入許容状態である場合において励磁コイル３２は励磁状態であり、図２０（Ｂ）、図２１（Ｂ）及び図２２（Ｂ）に示されたように、プランジャ３３は前進配置よりも励磁コイル３２側に引き込まれた後退配置をとり、第１動力伝達部材３５もプランジャ３３の前進配置に対応して後退配置をとり、第２動力伝達部材３６は押圧部３６Ｃが支軸３６Ａよりも後方に位置する後傾姿勢とり、開閉シャッタ３１はその先端が貫通孔１１Ａよりも前方に突出せずに開口１０Ａを通した受け部１０への遊技球の進入を許容している進入許容配置をとっている。
【００８３】
大入賞装置４３３が図２０（Ａ）、図２１（Ａ）及び図２２（Ａ）に示された進入阻止状態である場合において励磁コイル３２が励磁されると、プランジャ３３が付勢部材３４からの付勢力に抗して後方側に移動する。プランジャ３３の移動に伴い第１動力伝達部材３５も後方側に移動し、被押圧部３６Ｂが押圧部３５Ｃによって後方側に押圧されて、第２動力伝達部材３６が支軸３６Ａを中心として反時計回りに回転する。第２動力伝達部材３６の回転に伴い貫通孔３１Ａの輪郭を形成する後方側の壁が押圧部３６Ｃによって後方側に押圧されて、開閉シャッタ３１が後方側に移動する。
【００８４】
逆に、大入賞装置４３３が図２０（Ｂ）、図２１（Ｂ）及び図２２（Ｂ）に示された進入許容状態である場合において励磁コイル３２が消磁されると、第１動力伝達部材３５が付勢部材３４からの付勢力によって前方側に移動する。第１動力伝達部材の移動に伴って、プランジャ３３も後方側に移動すると共に、被押圧部３６Ｂが押圧部３５Ｃによって前方側に押圧されて第２動力伝達部材３６が支軸３６Ａを中心として時計回りに回転する。第２動力伝達部材３６の回転に伴い貫通孔３１Ａの輪郭を形成する前方側の壁が押圧部３６Ｃによって前方側に押圧されて、開閉シャッタ３１が前方側に移動する。
【００８５】
ここで、大入賞装置４３３の進入阻止状態において開閉シャッタ３１に進入禁止配置から進入許容配置へ向かわせるような外力が加えられた場合について説明する。図２３は、開閉シャッタ３１に外力が加えられた場合を表す大入賞装置４３３の断面図であって、図２３（Ａ）が弱い外力が加えられた場合を表し、図２３（Ｂ）が開閉シャッタ３１に強い外力が加えられた場合を表している。
【００８６】
大入賞装置４３３が図２０（Ａ）、図２１（Ａ）及び図２２（Ａ）に示された進入阻止状態である場合において、開閉シャッタ３１に進入禁止配置から進入許容配置へ向かわせるような外力が加えられると、開閉シャッタ３１が後方側に移動し、押圧部３５Ｃが貫通孔３１Ａの輪郭を形成する前方側の壁によって後方側に押圧されて、第２動力伝達部材３６が支軸３６Ａを中心として反時計回りに回転する。第２動力伝達部材３６の回転に伴い、図２３（Ａ）に示されたように被押圧部３６Ｂが押圧部３５Ｃに当接するが、被押圧部３６Ｂが押圧部３５Ｃを押圧する力は押圧部３５Ｃを後方側へ移動させる力には変換されず、第１動力伝達部材３５は後方側へ移動しない。図２３（Ａ）に示された状態（ロック状態）において、開口１０Ａを通した受け部１０への遊技球の進入は許容されていない。
【００８７】
開閉シャッタ３１と外力が弱い場合には図２３（Ａ）に示された状態を維持することとなるが、外力が強い場合には、図２３（Ｂ）に示されたように、支軸３６Ａと押圧部３６Ｃとを接続する接続部３６Ｄが撓み、開閉シャッタ３１は更に後方側に移動することとなる。図２３（Ｂ）に示された状態において、開口１０Ａを通した受け部１０への遊技球の進入は阻止されていない。なお、図２３（Ｂ）に示されたように開閉シャッタ３１の先端が貫通孔１１Ａよりも前方に突出しない位置まで移動させられたとしても、接続部３６Ｄが不可逆的に変形したり破断したりしないように、つまり、接続部３６Ｄの可塑変形の範囲内で変形するように、接続部３６Ｄの素材や形状等が選択されている。
【００８８】
ここで、開閉シャッタ３１が進入許容配置から進入阻止配置へ移動する過程において、遊技球が開閉シャッタ３１の前端に当接した場合について説明する。図２４及び図２５は、開閉シャッタ３１の姿勢を説明するために大入賞装置４３３における開閉シャッタ３１の近傍を部分的に拡大して表す断面図であり、図２４には開閉シャッタ３１が標準姿勢である場合が示され、図２５（Ａ）及び図２５（Ｂ）にはそれぞれ開閉シャッタ３１が標準姿勢から変位した左回転姿勢及び右回転姿勢である場合が示されている。なお、図２５（Ａ）及び図２５（Ｂ）において、比較のために、標準姿勢の開閉シャッタ３１が破線でしめされている。
【００８９】
開閉シャッタ３１には、図２４に示されたように、押圧部３６Ｃの大きさよりも余裕を持たせた大きさの貫通孔３１Ａが形成されており、開閉シャッタ３１は、図２５（Ａ）及び図２５（Ｂ）に示されたように、図２４に示された場合に対して所定の範囲の変位（最大約２度の回転）が可能となっている。進入許容配置から進入阻止配置へ移動する場合又は進入許容配置から進入阻止配置へ移動する場合において、開閉シャッタ３１の前端と遊技球が当接していなければ、図２４に示されたように、押圧部３６Ｃの左右の両端部が貫通孔３１Ａの前端を形成する壁及び貫通孔３１Ａの後端を形成する壁の一方と当接している標準姿勢をとるが、開閉シャッタ３１の前端と遊技球とが当接していれば、図２５（Ａ）に示されたように、押圧部３６Ｃの右端部は貫通孔３１Ａの前端を形成する壁と当接しているものの押圧部３６Ｃの左端部は貫通孔３１Ａの後端を形成する壁と当接している左回転姿勢や、図２５（Ｂ）に示されたように、押圧部３６Ｃの右端部は貫通孔３１Ａの後端を形成する壁と当接しているが押圧部３６Ｃの左端部は貫通孔３１Ａの前端を形成する壁と当接している右回転姿勢をとることができる。
【００９０】
具体的には、開閉シャッタ３１の前端が遊技球と当接している場合において、その当接点が中央領域（Ｑ１〜Ｑ２）であるときには、図２４に示されたように標準姿勢をとり、その当接点が前端の右側領域（Ｑ２〜右端）であるときには、図２５（Ａ）に示されたように左回転姿勢をとり、開閉シャッタ３１における遊技球との当接点が前端の左側領域（左端〜Ｑ１）であるときには図２５（Ｂ）に示されたように左回転姿勢をとることとなる。
【００９１】
開閉シャッタ３１の前端の輪郭は、図２４及び図２５に示されたように、直線領域（Ｐ１〜Ｐ２）と直線領域と滑らかに接続された湾曲領域（Ｐ２〜Ｐ３）とで構成される形状であり、輪郭上の任意の部位とその部位に対向する前面被覆板１３の部位との距離を対向距離として、開閉シャッタ３１が標準姿勢である場合には、図２４に示されたように、直線領域内の部位に対応する対向距離は直線領域の全体に亘って同一であり、湾曲領域内の部位に対応する対向距離は右側にずれるにつれて単調に短くなる。また、開閉シャッタ３１が右回転姿勢である場合には、図２５（Ａ）に示されたように、全領域（Ｐ１〜Ｐ３）の左端（Ｐ１）からの中間（Ｐ４）までの部位に対応する対向距離は右側にずれるにつれて単調に長くなり、全領域の中間（Ｐ４）から右端（Ｐ３）までの部位に対応する対向距離は右側にずれるにつれて単調に短くなる。また、開閉シャッタ３１が左回転姿勢である場合には、図２５（Ｂ）に示されたように、全領域内の部位に対応する前面被覆板１３との対向距離は、単調に短くなる。
【００９２】
ここで、開閉シャッタ３１が進入許容配置から進入阻止配置へ移動する過程において、開閉シャッタ３１と前面被覆板１３とが単一の遊技球を挟み込むようにその遊技球に当接する場合について説明する。図２６は、開閉シャッタ３１と前面被覆板１３とが単一の遊技球と当接している状態を表す断面図である。また、図２７、図２８及び図２９は、開閉シャッタ３１と前面被覆板１３とが単一の遊技球と当接している状態を表す上面図であって、図２７には開閉シャッタ３１と前面被覆板１３と当接位置が中央領域（Ｑ１〜Ｑ２）内である場合が示され、図２８には開閉シャッタ３１と遊技球との当接位置が右端領域（Ｑ２〜右端）内である場合が示され、図２９には開閉シャッタ３１と遊技球との当接位置が左端領域（左端〜Ｑ１）内である場合が示されている。
【００９３】
開閉シャッタ３１と前面被覆板１３とが単一の遊技球を挟み込むようにその遊技球と当接する場合には、図２６に示されたように、開閉シャッタ３１と遊技球との当接点が中央領域内であるか右領域内であるか左領域内であるかに関わらず、遊技球は開閉シャッタ３１の先端と前面被覆板１３に形成された突出部１３Ａの先端とに当接することとなる。
【００９４】
まず、開閉シャッタ３１と遊技球との当接点が中央領域（Ｑ１〜Ｑ２）である場合、図２６及び図２７に示されたように、開閉シャッタ３１は標準姿勢をとり、遊技球と前面被覆板１３とが突出部１３Ａにおける当接点Ｒｃで当接し、遊技球と開閉シャッタ３１とが標準姿勢において前面被覆板１３と開閉シャッタ３１との対向距離が右側にずれるにつれて単調に短くなる領域（Ｐ２〜Ｐ３）の範囲内の当接点Ｓｃで当接する。したがって、この状態で瞬間的に遊技球の移動が停止したとしても、当接点Ｒｃと当接点Ｓｃとを通る直線Ｌｃ（図示せず）と鉛直方向の直線とを含む平面πｃに遊技球の重心（中心）が含まれていないために、遊技球の自重に基づく直線Ｌｃを回転軸とする回転モーメントによって遊技球を回転させる力や開閉シャッタ３１からの押圧力によって遊技球を左側に移動させる力が付与されることとなる。更に、突出部１３Ａ及び開閉シャッタ３１が傾斜しているために遊技球の自重に基づき遊技球を左側に移動させる力が付与されることとなる。
【００９５】
次に、開閉シャッタ３１と遊技球との当接点が右側領域（Ｑ２〜右端側）である場合、図２８に示されたように、開閉シャッタ３１は左回転姿勢をとり、遊技球と前面被覆板１３とが突出部１３Ａにおける当接点Ｒｒで当接し、遊技球と開閉シャッタ３１とが左回転姿勢において前面被覆板１３と開閉シャッタ３１との対向距離が右側にずれるにつれて単調に短くなる領域（Ｐ４〜Ｐ３）の範囲内の当接点Ｓｒで当接する。したがって、この状態で瞬間的に遊技球の移動が停止したとしても、当接点Ｒｒと当接点Ｓｒとを通る直線Ｌｒ（図示せず）と鉛直方向の直線とを含む平面πｒに遊技球の重心（中心）が含まれていないために、遊技球の自重に基づく直線Ｌｒを回転軸とする回転モーメントによって遊技球を回転させる力や開閉シャッタ３１からの押圧力によって遊技球を左側に移動させる力が付与されることとなり、また、突出部１３Ａ及び開閉シャッタ３１が傾斜しているために遊技球の自重に基づき遊技球を左側に移動させる力が付与されることとなる。
【００９６】
最後に、開閉シャッタ３１と遊技球との当接点が左側領域（左端側〜Ｑ１）である場合、図２９に示されたように、開閉シャッタ３１は右回転姿勢をとり、遊技球と前面被覆板１３とが突出部１３Ａにおける当接点Ｒｌで当接し、遊技球と開閉シャッタ３１とが右回転姿勢において前面被覆板１３と開閉シャッタ３１との対向距離が右側にずれるにつれて単調に短くなる領域（Ｐ４〜Ｐ３）の範囲内の当接点Ｓｌで当接する。したがって、この状態で瞬間的に遊技球の移動が停止したとしても、当接点Ｒｌと当接点Ｓｌとを通る直線Ｌｌ（図示せず）と鉛直方向の直線とを含む平面πｌに遊技球の重心（中心）が含まれていないために、遊技球の自重に基づく直線Ｌｌを回転軸とする回転モーメントによって遊技球を回転させる力や開閉シャッタ３１からの押圧力によって遊技球を左側に移動させる力が付与されることとなり、また、突出部１３Ａ及び開閉シャッタ３１が傾斜しているために遊技球の自重に基づき遊技球を左側に移動させる力が付与されることとなる。
【００９７】
上記の遊技機１００であれば、開閉シャッタ３１が進入許容配置から進入阻止配置へ移動する過程において、開閉シャッタ３１と前面被覆板１３とが遊技球を挟み込むようにその遊技球に当接したとしても、開閉シャッタ３１と遊技球との当接位置に関わらず、当該当接位置に対応する対向距離よりも前面被覆板１３と開閉シャッタ３１との対向距離が長い側（左側）に回転させたり移動させたりする力が付与されるために、遊技球が開閉シャッタ３１と前面被覆板１３とで継続的に保持されることを抑制できる。
【００９８】
また、上記の遊技機１００であれば、開閉シャッタ３１と前面被覆板１３の突出部１３Ａとが傾斜するように設けられているために、開閉シャッタ３１と遊技球との当接位置に関わらず、当該当接位置に対応する対向距離よりも前面被覆板１３と開閉シャッタ３１との対向距離が長い側（左側）に移動させる力が付与され易くなるために、遊技球が開閉シャッタ３１と前面被覆板１３とで継続的に保持されることを更に良好に抑制できる。
【００９９】
また、上記の遊技機１００であれば、開閉シャッタ３１と遊技球との当接点が中央領域（Ｑ１〜Ｑ２）である場合において、遊技球が開閉シャッタ３１と前面被覆板１３の突出部１３Ａとに当接した状態で中央領域と左側領域と境界（Ｑ１）まで進行すれば、開閉シャッタ３１が標準姿勢から右回転姿勢に変化するために、当該境界より左側（遊技球の進行方向側）の部位に対応する対向距離が急激に大きくなり、極めて良好に遊技球を開口１０Ａに進入させることができる。同様に、開閉シャッタ３１と遊技球との当接点が右側領域（Ｑ２〜右側端）である場合において、遊技球が開閉シャッタ３１と前面被覆板１３の突出部１３Ａとに当接した状態で中央領域と右側領域と境界（Ｑ２）まで進行すれば、開閉シャッタ３１が左回転姿勢から標準姿勢に変化するために、当該境界より左側（遊技球の進行方向側）の部位に対応する対向距離が急激に大きくなり、極めて良好に遊技球を開口１０Ａに進入させることができる。なお、開閉シャッタ３１と遊技球との当接点が左側領域（左端側〜Ｑ１）である場合には、その他の領域である場合に比べて左側領域と前面被覆板１３の突出部１３Ａとの傾斜角度が大きく設定されているために、迅速に遊技球を開口１０Ａに進入させることができる。したがって、遊技機１００において、開閉シャッタ３１は、遊技球と干渉したとしても進入許容配置から進入阻止配置へ良好に移動する。なお、上記においては、遊技球が開口１０Ａに進入する場合について説明しているが、遊技球における開閉シャッタ３１と前面被覆板１３の突出部１３Ａとの当接位置によっては、遊技球は掬い出されて開閉シャッタ３１の上面を移動する。
【０１００】
また、上記の遊技機１００であれば、開閉シャッタ３１と遊技球との当接位置よりも傾斜の上流側（右側）に対応する対向距離が当該当接位置に対応する対向距離より短く、遊技球が傾斜の下流側へ挟まれた状態で移動している場合に、当該遊技球の位置よりも上流側において新たに遊技球が挟まれることを防止できる。つまり、連続して遊技球が挟まれることを防止できるために、開閉シャッタ３１が進入阻止配置へ移動するために要する時間を低減できる。
【０１０１】
また、上記の遊技機１００であれば、開閉シャッタ３１と前面被覆板１３の突出部１３Ａとの間に間隙が形成されてしまうものの、前面被覆板１３の上端が開閉シャッタ３１と対向する位置よりも上側まで延出しているために、その間隙の存在を認識し難くできる。
【０１０２】
また、上記の遊技機１００であれば、前面被覆板１３の上端が開閉シャッタ３１と対向する位置の近傍であって当該位置よりも上側において概ね開閉シャッタ３１の幅全体に亘って平行に突出部１３Ａが設けられているために、開閉シャッタ３１と前面被覆板１３の突出部１３Ａとの間に形成される間隙の存在を突出部１３Ａの凹凸形状及び厚みによって更に認識し難くできる。
【０１０３】
また、上記の遊技機１００であれば、開閉シャッタ３１と前面被覆板１３の突出部１３Ａとの間に形成される間隙から不正具を挿入したりして開閉シャッタ３１を不正に進入許容配置へ向かわせるような外力が加えられたとしても、図２３（Ａ）に示されたロック状態となるために、開閉シャッタ３１が進入許容配置にまで移動させられることを抑制できる。
【０１０４】
また、上記の遊技機１００であれば、不正具等によっては困難であるが、開閉シャッタ３１と前面被覆板１３の突出部１３Ａとの間に形成される間隙に、前ブロック１０２を開放状態において指を挿入することによっては、開閉シャッタ３１を進入許容配置にまで移動させることができるために、遊技機に不具合が発生した場合等において遊技者の損失を簡便に補填できる。
【０１０５】
上記の遊技機１００においては、開閉シャッタ３１と遊技球との当接点の相違によって開閉シャッタ３１が異なる姿勢をとる構成について説明したが、本発明においては、開閉シャッタ３１と遊技球との当接点が中央領域である場合の説明から容易にわかるように、開閉シャッタが前面被覆板１３の突出部１３Ａと平行な直線形状部分を有していなければ開閉シャッタが異なる姿勢をとらない構成でもよく、この構成であっても遊技球が開閉シャッタと前面被覆板１３とで継続的に保持されることを抑制できるという効果を奏する。逆に、開閉シャッタ３１と遊技球との当接点が左側領域である場合の説明から容易にわかるように、開閉シャッタの姿勢を適切に変化させることができれば開閉シャッタが前面被覆板１３の突出部１３Ａと平行な直線形状部分を有する構成でもよく、この構成であっても遊技球が開閉シャッタ３１と前面被覆板１３とで継続的に保持されることを抑制できるという効果を奏する。更に、遊技機１００のように、開閉シャッタ３１の姿勢を適切に変化させることができ、かつ、開閉シャッタ３１が前面被覆板１３の突出部１３Ａと平行な直線形状部分を有する構成とすることによって、開閉シャッタ３１と前面被覆板１３の突出部１３Ａとの間に形成される間隙における最大対向距離を低減することができ、不必要に大きな間隙が形成されることを防止できる。
【０１０６】
上記の遊技機１００においては、開閉シャッタ３１の前端の形状が直線領域（Ｐ１〜Ｐ２）と湾曲領域（Ｐ２〜Ｐ３）とで構成される場合について説明したが、本発明においては、開閉シャッタの前端の形状が湾曲領域のみで形成されている構成や前面被覆板１３の突出部１３Ａと非平行な直線形状のみで形成されている構成でもよく、これらの構成あってもそれらの湾曲度合いや傾斜角度等が適切に設計されていれば、遊技球が開閉シャッタ３１と前面被覆板１３とで継続的に保持されることを抑制できるという効果を奏する。
【０１０７】
上記の遊技機１００においては、開閉シャッタ３１が前後に移動する構成について説明したが、開閉シャッタ３１が回転移動のみや回転移動と前後移動との複合移動によって移動する構成でもよく、これらの構成を採用する場合には、開閉シャッタの前端形状は開閉シャッタの進入阻止配置及び進入許容配置のいずれかで前面被覆板１３の突出部１３Ａと平行になる直線形状とすることもできる。
【０１０８】
上記の遊技機１００においては、前面被覆板１３の突出部１３Ａが直線形状である構成について説明したが、本発明においては、前面被覆板１３や突出部１３Ａが開閉シャッタ３１やその変化例と同様の構成であり、開閉シャッタ３１の前端が直線形状である構成でもよく、これらの構成であっても、遊技球が開閉シャッタ３１と前面被覆板１３とで継続的に保持されることを抑制できるという効果を奏する。なお、前面被覆板１３や突出部１３Ａが非直線形状である場合には、前面被覆板１３や突出部１３Ａの凹凸によって、開閉シャッタ３１が進入許容配置であっても開口１０Ａへの遊技球の円滑な進入が阻害される可能性があるために、遊技機１００と同様に前面被覆板１３の突出部１３Ａが直線形状である構成が好ましい。
【０１０９】
〔上記の各実施の形態から抽出される発明群〕
上記の実施の形態から抽出される発明群の特徴について、必要に応じて効果等を示しながら説明する。なお、以下においては、理解を容易ならしめるために、上記の実施の形態における構成との対応を括弧書きで適宜に示すが、括弧書きの構成に限定されるものではない。
【０１１０】
既述のように、従来の典型的な遊技機において、遊技球の進入を許容する進入許容状態と遊技球の進入を阻止する進入阻止状態とをとる可変入賞装置（大入賞装置４３３に相当）が備えられており、当該許容状態の変化は可変入賞装置の入賞口の近傍に設けられた進入規制部材の配置変化によって実現されている。このような遊技機としては、平板状の進入規制部材を遊技盤に平行に配置させて入賞口を進入規制部材によって塞ぐ進入阻止配置と進入規制部材を進入阻止配置から水平回転軸に対して回転させてその上端を前方に突出させた進入許容配置とを取り、上方から流下してくる遊技球を進入規制部材で受け止めて入賞口に誘導する構成や、前後方向に伸びる舌片と当該舌片の前端に垂設された前板とを有する進入規制部材を遊技盤の奥方に配置させて入賞口を前板によって塞ぐ進入阻止配置と進入阻止配置から開閉部材を前方に移動させた進入許容配置とを取り、上方から流下してくる遊技球を進入規制部材で受け止めて入賞口に誘導したり引き込んだりする構成（例えば、特許文献１参照）が挙げられる。従来の典型的な遊技機において、進入規制部材を進入許容配置から進入阻止配置に移動させようとした場合に、進入規制部材と他の周辺の部材とによって遊技球が狭持されて進入阻止配置への移動を完了できない事態が発生する。
【０１１１】
可変入賞装置（大入賞装置４３３）において進入規制部材（開閉シャッタ３１）の状態変化に際して進入規制部材を進入許容配置から進入阻止配置に良好に移動させる観点からは、以下の発明Ａ群を抽出でき、また、可変入賞装置において進入規制部材の状態変化に際して進入規制部材を進入許容配置から進入阻止配置に良好に移動させるため等により進入規制部材と受け部との間に間隙が形成されたとしても不正行為を誘発し難くしたり不正行為を抑制したりする観点からは以下の発明Ｂ群を抽出できる。
【０１１２】
＜発明Ａ群＞
特徴Ａ１：
遊技媒体が進入可能な開口（開口１０Ａ）を有する受け部（受け部１０）と、
前記開口を通した遊技媒体の前記受け部への進入を許容する許容配置（進入許容配置）と前記許容配置より前側に突出して前記開口を通した遊技媒体の前記受け部への進入を阻止する阻止配置（進入阻止配置）とをとる進入規制部材（開閉シャッタ３１）と、
前記進入規制部材を駆動する駆動装置（励磁コイル３２、プランジャ３３及び付勢部材３４からなるソレノイド）と、
前記駆動装置からの動力を前記進入規制部材に伝達する動力伝達機構（第１動力伝達部材３５及び第２動力伝達部材３６）と、
を備える遊技機であって、
前記受け部と前記進入規制部材とは、前記受け部と前記進入規制部材とに単一の遊技媒体が当接する場合に、当該遊技媒体の近傍において前記受け部と前記進入規制部材との間に左右方向の一端側から他端側へ先細る間隙が形成される構造である、
ことを特徴としている。
【０１１３】
上記において、「近傍」とは、遊技媒体の半径と同一程度の距離範囲を意味する。また、「遊技媒体の近傍」とは、受け部と進入規制部材とにおいて単一の遊技媒体が当接し得る部位であって左右方向の一端側から他端側へ先細る間隙を形成する距離範囲を意味することとしても良い。また、先細る間隙に代えて、幅が変動する間隙としても良いし、幅が拡がる間隙としても良い。
【０１１４】
特徴Ａ１を有する遊技機であれば、受け部と進入規制部材とが単一遊技媒体に当接する場合に、受け部と当該遊技媒体との当接点及び進入規制部材と当該遊技媒体との当接点を通る直線と鉛直方向の直線との２直線で規定される平面内に遊技媒体の重心が含まれないように当接するために、当該遊技媒体がこの当接によって瞬間的に停止したとしても、間隙が先細る方向と反対側に回転させたり移動させたりする力が付与されることとなり、遊技媒体が受け部と進入規制部材とで継続的に保持されることが抑制される。
【０１１５】
特徴Ａ２：特徴Ａ１において、
前記受け部の設けられる板面（遊技盤４００の基体４０１）を備え、
前記開口の前端は、前記受け部の設けられる板面に平行な直線形状であり、
前記進入規制部材の前端は、非直線形状（Ｐ１〜Ｐ３）である、
ことを特徴としている。
【０１１６】
特徴Ａ２を有する遊技機であれば、受け部の横幅方向の全体に亘って開口の前後幅を最大限に確保でき、進入規制部材が許容配置である場合において開口を通して受け部に遊技球を円滑に進入させることができる。
【０１１７】
特徴Ａ３：特徴Ａ２において、
前記進入規制部材の前端は、前記開口の前端と平行な直線領域（Ｐ１〜Ｐ２）を含み、
前記進入規制部材は、前記動力伝達機構に対して所定の範囲で揺動可能に接続されており、
前記受け部と前記進入規制部材とに単一の遊技媒体が当接する場合であって当該遊技媒体が前記進入規制部材の前記直線領域で当接する場合に、前記進入規制部材の揺動により前記直線領域が前記開口の前端と非平行となる、
ことを特徴としている。
【０１１８】
特徴Ａ３を有する遊技機であれば、受け部と進入規制部材の直線領域とが単一遊技媒体に当接する場合に、受け部と当該遊技媒体との当接点及び進入規制部材と当該遊技媒体との当接点を通る直線と鉛直方向の直線との２直線で規定される平面内に遊技媒体の重心が含まれないように当接させることができ、進入規制部材に開口の前端と平行な直線領域を含まれていたとしても遊技媒体が受け部と進入規制部材とで継続的に保持されることが抑制される。
【０１１９】
特徴Ａ４：特徴Ａ２において、
前記進入規制部材の前端は、前記開口の前端と平行な直線領域（Ｐ１〜Ｐ２）と前記直線領域から連続する湾曲領域（Ｐ２〜Ｐ３）とを有し、
前記進入規制部材は、前記動力伝達機構に対して所定の範囲で揺動可能に接続されており、
前記受け部と前記進入規制部材とに単一の遊技媒体が当接する場合であって当該遊技媒体が前記進入規制部材の前記直線領域で当接する場合に、前記進入規制部材の揺動により前記直線領域が前記開口の前端と非平行となり前記受け部と前記進入規制部材との間に左右方向の一端側から他端側へ先細る間隙が形成され、
前記受け部と前記進入規制部材とに単一の遊技媒体が当接する場合であって当該遊技媒体が前記進入規制部材の前記湾曲領域で当接する場合に、当該湾曲形状に基づき前記受け部と前記進入規制部材との間に左右方向の一端側から他端側へ先細る間隙が形成される、
ことを特徴としている。
【０１２０】
特徴Ａ４を有する遊技機であれば、受け部と進入規制部材の直線領域とが単一遊技媒体に当接する場合に、進入規制部材と当該遊技媒体の当接位置が直線領域内か湾曲領域内からに因らずに、受け部と当該遊技媒体との当接点及び進入規制部材と当該遊技媒体との当接点を通る直線と鉛直方向の直線との２直線で規定される平面内に遊技媒体の重心が含まれないように当接させることができ、遊技媒体が受け部と進入規制部材とで継続的に保持されることが抑制される。
【０１２１】
特徴Ａ５：特徴Ａ１〜Ａ４において、
前記進入規制部材は、左右に傾斜し、
前記左右方向の一端側から他端側へ先細る間隙は、前記進入規制部材の傾斜を上る方向に向かって先細る形状である、
ことを特徴としている。
【０１２２】
特徴Ａ５を有する遊技機であれば、遊技媒体が受け部と進入規制部材との当接によって瞬間的に停止したとしても、間隙が先細る方向と反対側に移動させる力が更に付与されることとなり、遊技媒体が受け部と進入規制部材とで継続的に保持されることを更に良好に抑制できる。
【０１２３】
＜発明Ｂ群＞
特徴Ｂ１：
遊技媒体が進入可能な開口（開口１０Ａ）を有する受け部（受け部１０）と、
前記開口を通した遊技媒体の前記受け部への進入を許容する許容配置（進入許容配置）と前記許容配置より前側に突出して前記開口を通した遊技媒体の前記受け部への進入を阻止する阻止配置（進入阻止配置）とをとる進入規制部材（開閉シャッタ３１）と、
前記進入規制部材を駆動する駆動装置（励磁コイル３２、プランジャ３３及び付勢部材３４からなるソレノイド）と、
前記駆動装置からの動力を前記進入規制部材に伝達する動力伝達機構（第１動力伝達部材３５及び第２動力伝達部材３６）と、
を備える遊技機であって、
前記受け部と前記進入規制部材とは、前記受け部と前記進入規制部材とにより単一の遊技媒体が挟持されることを抑制する構造であり、
前記受け部は、前記進入規制部材の前方において前記進入規制部材の前端より上方側にまで延出し、前記受け部と前記進入規制部材との前記構造に起因して前記受け部と前記進入規制部材との間に形成される間隙の視認性を低下させる前壁（前面被覆板１３）を有する、
ことを特徴としている。
【０１２４】
特徴Ｂ２：特徴Ｂ１において、
前記受け部と前記進入規制部材との前記構造、前記受け部と前記進入規制部材とに単一の遊技媒体が当接する場合に、当該遊技媒体の近傍において前記受け部と前記進入規制部材との間に左右方向の一端側から他端側へ先細る間隙が形成される構造であることを特徴としている。
【０１２５】
特徴Ｂ１を有する遊技機であれば、受け部と進入規制部材とが単一遊技媒体に当接する場合に、受け部と当該遊技媒体との当接点及び進入規制部材と当該遊技媒体との当接点を通る直線と鉛直方向の直線との２直線で規定される平面内に遊技媒体の重心が含まれないように当接するために、当該遊技媒体がこの当接によって瞬間的に停止したとしても、間隙が先細る方向と反対側に回転させたり移動させたりする力が付与されることとなり、遊技媒体が受け部と進入規制部材とで継続的に保持されることが抑制される。
【０１２６】
特徴Ｂ３：特徴Ｂ１又は特徴Ｂ２において、
前記前壁は、前記進入規制部材の前端との対向部位よりも上方側において後方側に突出する突出部（１３Ａ）を有する、
ことを特徴としている。
【０１２７】
特徴Ｂ１を有する遊技機であれば、突出部によって輪郭線が増えたり厚みが増したりすることによって更に間隙の存在を視認し難くできる。
【０１２８】
特徴Ｂ３：特徴Ｂ１〜特徴Ｂ３において、
前記動力伝達機構は、
前記駆動装置の正規の動作において前記進入規制部材を前記阻止配置にしている態様から前記駆動装置の正規の動作において前記進入規制部材を前記許容配置にしている態様への前記進入規制部材への外力に基づく変化を阻止する阻止部と、
前記阻止部により前記駆動装置の態様の変化が阻止された状態において前記進入規制部材への外力に基づいて前記進入規制部材を前記阻止配置から前記許容配置へ変化させることが可塑変化の範囲内で可能な可撓性を有する可撓部と、
を有する、
ことを特徴としている。
【０１２９】
進入規制部材と受け部との間に形成される間隙に指を挿入したりすることによって進入規制部材を進入許容配置にまで移動させることができるために、遊技機に不具合が発生した場合等において遊技者の損失を簡便に補填できる。
【０１３０】
特徴Ｂ４：特徴Ｂ３において、
駆動装置は、励磁コイルと、前記励磁コイルの内側に摺動可能に挿入される可動芯と、前記可動芯の先端を前記励磁コイルから遠ざけるように付勢する付勢部材とを有しており、励磁コイルの励磁に基づき前記可動芯の先端が前記付勢部材からの付勢力に抗して励磁コイル側に引き込まれた励磁態様と励磁コイルの消磁に基づき前記付勢部材からの付勢力により前記可動芯の先端が前記励磁態様より励磁コイル側に引き出された非励磁態様とをとるプル型ソレノイドであり、
前記進入規制部材は、前記駆動装置の励磁態様において前記許容配置をとり、前記駆動装置の非励磁態様において前記阻止配置をとり、
前記阻止部により前記駆動装置の態様の変化が阻止された状態において前記進入規制部材が前記阻止配置から前記許容配置へ変化するように前記可撓部を撓ませる力は、前記阻止部により前記駆動装置の態様の変化が阻止されていない状態において前記進入規制部材を前記阻止配置から前記許容配置へ変化するように前記付勢部材を圧縮する力より強い、
ことを特徴としている。
【０１３１】
また、上記の遊技機１００であれば、進入規制部材と受け部の前壁との間に形成される間隙から不正具を挿入したりして進入規制部材を不正に許容配置へ向かわせるような外力が加えられたとしても、進入規制部材が許容配置にまで移動させられることを抑制できる。
【産業上の利用可能性】
【０１３２】
本発明は、弾球遊技機等の遊技機に適している。
【符号の説明】
【０１３３】
１００：遊技機
４００：遊技盤
４３３：大入賞装置
４４３：大入賞スイッチ
１０  ：受け部
１０Ａ：開口
１１  ：基体
１３  ：前面被覆板
１３Ａ：突出部
３１  ：開閉シャッタ
３２  ：励磁コイル
３３  ：プランジャ
３４  ：付勢部材
３５  ：第１動力伝達部材
３６  ：第２動力伝達部材
【図１】
2014155618.tif 000003
【図２】
2014155618.tif 000004
【図３】
2014155618.tif 000005
【図４】
2014155618.tif 000006
【図５】
2014155618.tif 000007
【図６】
2014155618.tif 000008
【図７】
2014155618.tif 000009
【図８】
2014155618.tif 000010
【図９】
2014155618.tif 000011
【図１０】
2014155618.tif 000012
【図１１】
2014155618.tif 000013
【図１２】
2014155618.tif 000014
【図１３】
2014155618.tif 000015
【図１４】
2014155618.tif 000016
【図１５】
2014155618.tif 000017
【図１６】
2014155618.tif 000018
【図１７】
2014155618.tif 000019
【図１８】
2014155618.tif 000020
【図１９】
2014155618.tif 000021
【図２０】
2014155618.tif 000022
【図２１】
2014155618.tif 000023
【図２２】
2014155618.tif 000024
【図２３】
2014155618.tif 000025
【図２４】
2014155618.tif 000026
【図２５】
2014155618.tif 000027
【図２６】
2014155618.tif 000028
【図２７】
2014155618.tif 000029
【図２８】
2014155618.tif 000030
【図２９】
2014155618.tif 000031